(57)【要約】【課題】少なくとも４つのレンズ群を含むズームレンズにおけるコストの低減に有利なズームレンズ及びそれを備えた撮像装置を提供する。【解決手段】正屈折力の第１レンズ群Ｇ１と、負屈折力の第２レンズ群Ｇ２と、複数のレンズ群Ｇ３、Ｇ４を有し、各レンズ群の間の各々の間隔を変化させることにより、広角端から望遠端の変倍を行い、第１レンズ群Ｇ１と第２レンズ群Ｇ２の何れか、または、双方が特定の構成を満足する。【選択図】図１
2013200543.tif 000002
【特許請求の範囲】
【請求項１】
物体側から像側に順に、
正屈折力の第１レンズ群と、
負屈折力の第２レンズ群と、
複数のレンズ群を有し、
前記各レンズ群の間の各々の間隔を変化させることにより、広角端から望遠端の変倍を行い、
前記第１レンズ群は
物体側から像側に順に、物体側と像側が空気と接する単レンズの負レンズ、物体側と像側が空気と接する単レンズの正レンズを有し、
前記第２レンズ群が、物体側から像側に順に、
負レンズを有する負屈折力の前側群と、
物体側と像側が空気と接する単レンズの正レンズ、物体側と像側が空気と接する単レンズの負レンズを有する後側群からなり、
以下の条件式（１）、（６）、（７）を満足することを特徴とするズームレンズ。
５．３＜ｆｔ／ｆｗ                （１）
−０．３＜ｎ１ｎ−ｎ２１ｎ＜−０．０９  （６）
ｎ２ｐ−ｎ２１ｎ＜−０．０９  （７）
ただし、ｆｔは前記ズームレンズの望遠端における焦点距離、
ｆｗは前記ズームレンズの広角端における焦点距離、
ｎ１ｎは、前記第１レンズ群中の前記負レンズのｄ線基準の屈折率、
ｎ２１ｎは、前記前側群中の前記負レンズのｄ線基準の屈折率、
ｎ２ｐは、前記後側群中の前記正レンズのｄ線基準の屈折率、
である。
【請求項２】
物体側から像側に順に、
正屈折力の第１レンズ群と、
負屈折力の第２レンズ群と、
複数のレンズ群を有し、
前記各レンズ群の間の各々の間隔を変化させることにより、広角端から望遠端の変倍を行い、
前記第１レンズ群と前記第２レンズ群の両方のレンズ群がプラスチックレンズを有し、
前記第２レンズ群が、物体側から像側に順に、
負レンズを有する負屈折力の前側群と、
正レンズと負レンズを有する後側群からなり、
前記前側群中の前記負レンズがガラスレンズであり、
前記後側群中の前記正レンズと前記負レンズが共に物体側と像側が空気と接する単レンズのプラスチックレンズである
ことを特徴とするズームレンズ。
【請求項３】
物体側から像側に順に、
正屈折力の第１レンズ群と、
負屈折力の第２レンズ群と、
複数のレンズ群を有し、
前記各レンズ群の間の各々の間隔を変化させることにより、広角端から望遠端の変倍を行い、
前記第１レンズ群は
物体側から像側に順に、負レンズ、正レンズを有し、
前記第１レンズ群中の前記負レンズ、前記第１レンズ群中の前記正レンズが共に物体側と像側が空気と接する単レンズのプラスチックレンズであり、
以下の条件式（１）を満足する
ことを特徴とするズームレンズ。
５．３＜ｆｔ／ｆｗ                （１）
ただし、ｆｔは前記ズームレンズの望遠端における焦点距離、
ｆｗは前記ズームレンズの広角端における焦点距離、
である。
【請求項４】
物体側から像側に順に、
正屈折力の第１レンズ群と、
負屈折力の第２レンズ群と、
複数のレンズ群を有し、
前記各レンズ群の間の各々の間隔を変化させることにより、広角端から望遠端の変倍を行い、
前記第２レンズ群が、物体側から像側に順に、
負レンズを有する負屈折力の前側群と、
正レンズと負レンズを有する後側群からなり、
前記前側群中の前記負レンズがガラスレンズであり、
前記後側群中の前記正レンズと前記負レンズが共に物体側と像側が空気と接する単レンズのプラスチックレンズであり、
以下の条件式（１）を満足する
ことを特徴とするズームレンズ。
５．３＜ｆｔ／ｆｗ                （１）
ただし、ｆｔは前記ズームレンズの望遠端における焦点距離、
ｆｗは前記ズームレンズの広角端における焦点距離、
である。
【請求項５】
物体側から像側に順に、
正屈折力の第１レンズ群と、
負屈折力の第２レンズ群と、
複数のレンズ群を有し、
前記各レンズ群の間の各々の間隔を変化させることにより、広角端から望遠端の変倍を行い、
前記第１レンズ群は
物体側から像側に順に、負レンズ、正レンズを有し、
前記第１レンズ群中の前記負レンズが物体側と像側が空気と接する単レンズのプラスチックレンズであり、
以下の条件式（１）、（２）を満足する
ことを特徴とするズームレンズ。
５．３＜ｆｔ／ｆｗ                （１）
ｎ１ｎ＜１．７                    （２）
ただし、ｆｔは前記ズームレンズの望遠端における焦点距離、
ｆｗは前記ズームレンズの広角端における焦点距離、
ｎ１ｎは、前記第１レンズ群中の前記負レンズのｄ線基準の屈折率、
である。
【請求項６】
前記第１レンズ群中の前記負レンズ、前記第１レンズ群中の前記正レンズが以下の条件式（２）、（３）を満足するプラスチックレンズである
ことを特徴とする請求項１、３、５のいずれか1項に記載のズームレンズ。
ｎ１ｎ＜１．７                      （２）
２０＜｜ν１ｎ−ν１ｐ｜＜６０      （３）
ただし、ｎ１ｎは、前記第１レンズ群中の前記負レンズのｄ線基準の屈折率、
ν１ｎは、前記第１レンズ群中の前記負レンズのｄ線基準のアッベ数、
ν１ｐは、前記第１レンズ群中の前記正レンズのｄ線基準のアッベ数、
であり、ν１ｎ＜ν１ｐ
である。
【請求項７】
物体側から像側に順に、
前記正屈折力の第１レンズ群と、
前記負屈折力の第２レンズ群と、
正屈折力の第３レンズ群と、
正屈折力の第４レンズ群とからなる
ことを特徴とする  請求項１から５のいずれか1項に記載のズームレンズ。
【請求項８】
前記後側群が、
物体側から像側に順に前記負レンズと前記正レンズを有する
ことを特徴とする請求項１、２、４のいずれか１項に記載のズームレンズ。
【請求項９】
物体側から像側に順に、
前記正屈折力の第１レンズ群と、
前記負屈折力の第２レンズ群と、
正屈折力の第３レンズ群と、
第4レンズ群を有し、
以下の条件式（８）を満足する
ことを特徴とする請求項１から５のいずれか１項に記載のズームレンズ。
２．０＜  β３ｔ／β３ｗ        （８）
ただし、β３ｔは、前記第３レンズ群の望遠端での横倍率、
β３ｗは、前記第３レンズ群の広角端での横倍率、
である。
【請求項１０】
前記後側群中の前記負レンズと前記正レンズが以下の条件式（４）、（５Ａ）を満足するプラスチックレンズである
ことを特徴とする請求項１、２、４のいずれか１項に記載のズームレンズ。
ｎ２２ｎ＜１．５５                    （４）
ｎ２ｐ＜１．７                        （５Ａ）
ただし、ｎ２２ｎは、前記後側群中の前記負レンズのｄ線基準の屈折率、
ｎ２ｐは、前記後側群中の前記正レンズのｄ線基準の屈折率、
である。
【請求項１１】
物体側から像側に順に、
前記正屈折力の第１レンズ群と、
前記負屈折力の第２レンズ群と、
正屈折力の第３レンズ群と、
第4レンズ群を有し、
以下の条件式（９）を満足する
ことを特徴とする請求項１から５のいずれか１項に記載のズームレンズ。
０．５＜（β３ｔ／β３ｗ）／（β２ｔ／β２ｗ）＜１．３  （９）
ただし、β３ｔは、前記第３レンズ群の望遠端での横倍率、
β３ｗは、前記第３レンズ群の広角端での横倍率、
β２ｔは、前記第２レンズ群の望遠端での横倍率、
β３ｗは、前記第２レンズ群の広角端での横倍率、
である。
【請求項１２】
前記第１レンズ群が、物体側から像側に順に、負レンズと正レンズの２枚のレンズからなる
ことを特徴とする請求項１から５のいずれか１項に記載のズームレンズ。
【請求項１３】
前記第２レンズ群が、物体側から像側に順に、第１負レンズ、第２負レンズ、正レンズの３枚のレンズからなる
ことを特徴とする請求項１から５のいずれか１項に記載のズームレンズ。
【請求項１４】
前記第３レンズ群が、物体側から像側に順に、正レンズ、負レンズの２枚のレンズからなる
ことを特徴とする請求項９または１１に記載のズームレンズ。
【請求項１５】
前記後側群中の負レンズと前記後側群中の前記正レンズがともにプラスチックレンズであり、
前記後側群中の負レンズの物体側面と前記後側群中の前記正レンズの像側面がともに非球面である
ことを特徴とする請求項８に記載のズームレンズ。
【請求項１６】
前記後側群中の負レンズの像側面と前記後側群中の前記正レンズの物体側面がともに球面である
ことを特徴とする請求項１５に記載のズームレンズ。
【請求項１７】
前記第２レンズ群が、物体側から像側に順に、
負レンズを有する負屈折力の前側群と、
正レンズと負レンズを有する後側群からなり、
前記前側群中の前記負レンズがガラスレンズであり、
前記後側群中の前記正レンズと前記負レンズが共にプラスチックレンズである
ことを特徴とする請求項１記載のズームレンズ。
【請求項１８】
前記第１レンズ群中の前記負レンズ、前記第１レンズ群中の前記正レンズが共にプラスチックレンズである
ことを特徴とする請求項１、５、１２、１７の何れか１項に記載のズームレンズ。
【請求項１９】
前記第２レンズ群が、物体側から像側に順に、
負レンズを有する負屈折力の前側群と、
正レンズと負レンズを有する後側群からなり、
前記前側群中の前記負レンズがガラスレンズであり、
前記後側レンズ群中の前記正レンズと前記負レンズが共にプラスチックレンズである
ことを特徴とする請求項３記載のズームレンズ。
【請求項２０】
以下の条件式（６）、（７）を満足することを特徴とする請求項１７または１９に記載のズームレンズ。
−０．３＜ｎ１ｎ−ｎ２１ｎ＜−０．０９  （６）
ｎ２ｐ−ｎ２１ｎ＜−０．０９  （７）
ただし、ｎ１ｎは、前記第１レンズ群中の前記負レンズのｄ線基準の屈折率、
ｎ２１ｎは、前記前側群中の前記負レンズのｄ線基準の屈折率、
ｎ２ｐは、前記後側群中の前記正レンズのｄ線基準の屈折率、
である。
【請求項２１】
前記後側群中の前記正レンズが非球面をもち、且つ、以下の条件式（５Ｂ）を満足するプラスチックレンズである
ことを特徴とする請求項２または４に記載のズームレンズ。
１．６４＜ｎ２ｐ                        （５Ｂ）
ただし、ｎ２ｐは、前記後側群中の前記正レンズのｄ線基準の屈折率、
である。
【請求項２２】
物体側から像側に順に、
正屈折力の第１レンズ群と、
負屈折力の第２レンズ群と、
正屈折力の第３レンズ群と、正屈折力の第４レンズ群を有する４群ズームレンズであり、
各レンズ群の間の各々の間隔を変化させることにより、広角端から望遠端の変倍を行い、
前記第１レンズ群が、物体側から像側に順に、負レンズと正レンズの２枚のレンズからなり、
前記第３レンズ群が、前記第３レンズ群中にて最も物体側に位置するレンズ成分である正屈折力の正レンズ成分と前記第３レンズ群中にて最も像側に位置するレンズ成分である負屈折力の負レンズ成分を有し、
ここで、前記正レンズ成分と前記負レンズ成分は、光路中にて空気に接する面が物体側面と像側面の２つのみのレンズブロックであり、
以下の条件式（１１）、（１２）、（１３）を満足する
ことを特徴とするズームレンズ。
２．５  ＜  ｆ１ｐ／ｆ３ｐ                （１１）
−３．４  ＜  ｆ１×ｆ２／ｆ３2  ＜−２．４  （１２）
−０．３  ＜  ｈ３ｆ／ｆ３  ＜  −０．１４  （１３）
ただし、ｆ１ｐは、前記第１レンズ群中の前記正レンズの焦点距離、
ｆ３ｐは、前記第３レンズ群中の前記正レンズ成分の焦点距離、
ｆ１は、前記第１レンズ群の焦点距離、
ｆ２は、前記第２レンズ群の焦点距離、
ｆ３は、前記第３レンズ群の焦点距離、
ｈ３ｆは、前記第３レンズ群の入射面から前記第３レンズ群の前側主点までの光軸上での距離であり、前記前側主点が前記入射面よりも物体側にあるときは負符号、前記前側主点が前記入射面よりも像側にあるときは正符号
である。
【請求項２３】
以下の条件式（１４）を満足する
ことを特徴とする請求項２２記載のズームレンズ。
２  ＜  （Ｒ１ｏｂｊ＋Ｒ１ｎｉｍｇ）／（Ｒ１ｏｂｊ−Ｒ１ｎｉｍｇ）＜７  （１４）
ただし、
Ｒ１ｏｂｊは、前記第１レンズ群の物体側面の近軸曲率半径、
Ｒ１ｎｉｍｇは、前記第１レンズ群中の前記負レンズの像側面の近軸曲率半径、
である。
【請求項２４】
以下の条件式（１５）を満足する
ことを特徴とする請求項２２または２３記載のズームレンズ。
−１．０＜（Ｒ１ｏｂｊ＋Ｒ１ｉｍｇ）／（Ｒ１ｏｂｊ−Ｒ１ｉｍｇ）＜０．０  （１５）
ただし、                                                                        
Ｒ１ｏｂｊは、前記第１レンズ群の物体側面の近軸曲率半径、
Ｒ１ｉｍｇは、前記第１レンズ群の像側面の近軸曲率半径、
である。
【請求項２５】
以下の条件式（１６）を満足する
ことを特徴とする請求項２２から２４のいずれか１項に記載のズームレンズ。
−１．１＜（Ｒ１ｐｏｂｊ＋Ｒ１ｉｍｇ）／（Ｒ１ｐｏｂｊ−Ｒ１ｉｍｇ）＜−０．５  （１６）
ただし、
Ｒ１ｐｏｂｊは、前記第１レンズ群中の前記正レンズの物体側面の近軸曲率半径、
Ｒ１ｉｍｇは、前記第１レンズ群の像側面の近軸曲率半径、
である。
【請求項２６】
以下の条件式（１７）を満足する
ことを特徴とする請求項２２から２５のいずれか１項に記載のズームレンズ。
−０．９＜（Ｒ３ｏｂｊ＋Ｒ３ｐｉｍｇ）／（Ｒ３ｏｂｊ−Ｒ３ｐｉｍｇ）＜−０．５  （１７）
ただし、
Ｒ３ｏｂｊは、前記第３レンズ群の物体側面の近軸曲率半径、
Ｒ３ｐｉｍｇは、前記第３レンズ群中の前記正レンズ成分の像側面の近軸曲率半径、
である。
【請求項２７】
以下の条件式（１８）を満足する
ことを特徴とする請求項２２から２６のいずれか１項に記載のズームレンズ。
１．５＜（Ｒ３ｎｏｂｊ＋Ｒ３ｉｍｇ）／（Ｒ３ｎｏｂｊ−Ｒ３ｉｍｇ）＜６  （１８）
ただし、
Ｒ３ｎｏｂｊは、前記第３レンズ群中の前記負レンズ成分の物体側面の近軸曲率半径、
Ｒ３ｉｍｇは、前記第３レンズ群の像側面の近軸曲率半径、
である。
【請求項２８】
前記第３レンズ群の物体側面は物体側に凸であり、前記第３レンズ群の像側面は像側に凹であり、以下の条件式（１９）を満足する
ことを特徴とする請求項２２から２７のいずれか１項に記載のズームレンズ。
０．７＜Ｒ３ｏｂｊ／Ｒ３ｉｍｇ＜１．５  （１９）
ただし、
Ｒ３ｏｂｊは、前記第３レンズ群の物体側面の近軸曲率半径、
Ｒ３ｉｍｇは、前記第３レンズ群の像側面の近軸曲率半径、
である。
【請求項２９】
前記第３レンズ群の物体側面と像側面が共に非球面である
ことを特徴とする請求項２２から２８のいずれか１項に記載のズームレンズ。
【請求項３０】
前記第３レンズ群中の負レンズ成分が以下の条件式（２０）を満足する負レンズである
ことを特徴とする請求項２２から２９のいずれか１項に記載のズームレンズ。
１．６３＜ｎ３ｎ    （２０）
ただし、ｎ３ｎは、前記第３レンズ群中の前記負レンズのｄ線基準の屈折率、
である。
【請求項３１】
前記第３レンズ群中のレンズ成分の総数が２である
ことを特徴とする請求項２２から３０のいずれか１項に記載のズームレンズ。
【請求項３２】
前記第３レンズ群中のレンズの総数が２である
ことを特徴とする請求項２２から３１のいずれか１項に記載のズームレンズ。
【請求項３３】
以下の条件式（２）を満足する
ことを特徴とする請求項２２から３２のいずれか１項に記載のズームレンズ。
ｎ１ｎ＜１．７                    （２）
ただし、ｎ１ｎは、前記第１レンズ群中の前記負レンズのｄ線基準の屈折率、
である。
【請求項３４】
以下の条件式（３）を満足する
ことを特徴とする請求項２２から３３のいずれか１項に記載のズームレンズ。
２０＜｜ν１ｎ−ν１ｐ｜＜６０      （３）
ただし、ν１ｎは、前記第１レンズ群中の前記負レンズのｄ線基準のアッベ数、
ν１ｐは、前記第１レンズ群中の前記正レンズのｄ線基準のアッベ数、
であり、ν１ｎ＜ν１ｐ
である。
【請求項３５】
以下の条件式（８）を満足する
ことを特徴とする請求項２２から３４のいずれか１項に記載のズームレンズ。
２．０＜  β３ｔ／β３ｗ        （８）
ただし、β３ｔは、前記第３レンズ群の望遠端での横倍率、
β３ｗは、前記第３レンズ群の広角端での横倍率、
である。
【請求項３６】
以下の条件式（９）を満足する
ことを特徴とする請求項２２から３５のいずれか１項に記載のズームレンズ。
０．５＜（β３ｔ／β３ｗ）／（β２ｔ／β２ｗ）＜１．３  （９）
ただし、β３ｔは、前記第３レンズ群の望遠端での横倍率、
β３ｗは、前記第３レンズ群の広角端での横倍率、
β２ｔは、前記第２レンズ群の望遠端での横倍率、
β３ｗは、前記第２レンズ群の広角端での横倍率、
である。
【請求項３７】
請求項１から３６の少なくともいずれか１項に記載のズームレンズと、前記ズームレンズの像側に配置され、且つ前記ズームレンズによる像を撮像する撮像面を持ち、その像を電気信号に変換する撮像素子を有することを特徴とする撮像装置。
【発明の詳細な説明】
【技術分野】
【０００１】
本発明は、ズームレンズに関するものである。あるいは、ズームレンズを備えたデジタルカメラやビデオカメラなどの撮像装置に関するものである。
【背景技術】
【０００２】
近年では、フィルムではなくＣＣＤやＣＭＯＳセンサーなどの撮像素子を用いて被写体を撮影するようにしたデジタルカメラやビデオカメラといった電子撮像装置が主流となっている。
電子撮像装置は、業務用の高機能タイプのデジタルカメラ、コンパクトな普及タイプのデジタルカメラ、監視カメラなど、幅広く普及している。
これらの電子撮像装置では共通して、種々の撮影シーンを想定し、撮影画角の変化が付けられるズームレンズが好まれている。
変倍比の確保と望遠端での明るさの確保の両立に有利なズームレンズとして物体側から像側に順に、正屈折力の第１レンズ群、負屈折力の第２レンズ群、複数のレンズ群からなる４群以上の構成のズームレンズが知られている。
このような４つ以上のレンズ群にて構成されるズームレンズとして、例えば、特許文献１、２、３、４のズームレンズが知られている。
【先行技術文献】
【特許文献】
【０００３】
【特許文献１】特開２００３−  ５７５４４号公報
【特許文献２】特開２００５−３１６０４７号公報
【特許文献３】特開２０１０−  ９１８８１号公報
【特許文献４】特開２０１１−２４７９４９号公報
【発明の概要】
【発明が解決しようとする課題】
【０００４】
コンパクトデジタルカメラ等に用いられるズームレンズとしては、コストを抑えつつ、小型化、軽量化、光学性能の確保等に有利な構成とすることが好ましい。
【０００５】
本発明は、少なくとも４つのレンズ群を含むズームレンズにおけるコストの低減に有利なズームレンズの提供を目的とするものである。
更には、そのようなズームレンズを備えた撮像装置の提供を目的とするものである。
【課題を解決するための手段】
【０００６】
上述の課題に鑑み、本発明のズームレンズは、物体側から像側に順に、正屈折力の第１レンズ群と、負屈折力の第２レンズ群と、複数のレンズ群を有し、各レンズ群の間の各々の間隔を変化させることにより、広角端から望遠端の変倍を行うことを基本構成としている。
第１の側面の本発明のズームレンズは、前述の基本構成にて、第１レンズ群が、物体側から像側に順に、負レンズ、正レンズを有し、第２レンズ群が、物体側から像側に順に、負レンズを有する負屈折力の前側群と、正レンズと負レンズを有する後側群からなる。
そして、以下の条件式（１）、（６）、（７）を満足するものである。
５．３＜ｆｔ／ｆｗ                （１）
−０．３＜ｎ１ｎ−ｎ２１ｎ＜−０．０９  （６）
ｎ２ｐ−ｎ２１ｎ＜−０．０９  （７）
ただし、ｆｔは前記ズームレンズの望遠端における焦点距離、
ｆｗは前記ズームレンズの広角端における焦点距離、
ｎ１ｎは、前記第１レンズ群中の前記負レンズのｄ線基準の屈折率、
ｎ２１ｎは、前記前側群中の前記負レンズのｄ線基準の屈折率、
ｎ２ｐは、前記後側群中の前記正レンズのｄ線基準の屈折率、
である。
【０００７】
条件式（１）の下限値を下回らないように変倍比を確保することによりズームレンズの画角変化をつけやすく便利である。
そして、第１レンズ群にて、物体側から負レンズ、正レンズを配置することで収差の低減に有利となる。
条件式（６）、（７）の上限値を上回らないように、第１レンズ群中の負レンズと第２レンズ群中の正レンズの双方の屈折率を抑えることで、第１、第２レンズ群を構成するレンズのコストの低減につながる。もしくは、前側群中の負レンズの屈折率を高くすることで、第２レンズ群に必要な負屈折力の確保につながり、変倍比の確保に有利となる。
条件式（６）の下限値を下回らないように、第1レンズ群中の負レンズと前側群中の負レンズとの屈折率差を適度に抑えることで、径の大きくなりやすい前側群中の負レンズの屈折率の過剰を抑えられ、材料コストの面で有利となる。
更には、第１レンズ群中の正レンズと負レンズを共に単レンズとすることで、材料選択の自由度の確保や、屈折面数の確保、レンズ面形状の自由度の確保に有利となり好ましい。
また、後側群中の正レンズと負レンズを共に単レンズとすることで、材料選択の自由度の確保や、屈折面数の確保、レンズ面形状の自由度の確保に有利となり好ましい。
【０００８】
第２の側面の本発明のズームレンズは、前述の基本構成にて、第１レンズ群と第２レンズ群の両方のレンズ群がプラスチックレンズを有し、第２レンズ群が、物体側から像側に順に、負レンズを有する負屈折力の前側群と、正レンズと負レンズを有する後側群からなる。
そして、前側群中の負レンズがガラスレンズであり、後側群中の正レンズと負レンズが共にプラスチックレンズである。
【０００９】
第１、第２レンズ群は径方向が大きくなりやすいレンズ群である。広画角化や高変倍比化をしようとすると一層大型化しやすくなる。
そこで、第１レンズ群、第２レンズ群の両方のレンズ群にプラスチックレンズを配置することで、径の大きいレンズの軽量化や材料コストの低減につながる。
第２レンズ群にプラスチックレンズを複数用いることで第２レンズ群のコスト低減につながる。一方、第２レンズ群の負の屈折力が弱くなりすぎると、広角端でのズームレンズ全長が大きくなりやすい。
そこで、第２レンズ群の前側群には負屈折力のガラスレンズを用いることで第２レンズ群の十分な負の屈折力を確保しやすくなる。一方の第２レンズ群の後側群にはプラスチックの正レンズと負レンズを配置することで、第２レンズ群の十分な負屈折力の確保とコスト低減、光学性能の確保の両立に有利となる。
【００１０】
更には、後側群中のプラスチックの正レンズと負レンズを共に単レンズとすることで、材料選択の自由度の確保や、屈折面数の確保、レンズ面形状の自由度の確保に有利となり好ましい。プラスチックレンズは、温度変化による体積変化が生じやすく、材質によりその程度が異なる。接合レンズ中の一部をプラスチックレンズとする場合、接合させるレンズ同士の特性を近似させる必要があるが、プラスチックレンズを単レンズとすることで、温度変化によるプラスチック材料の選択自由度が高くなり好ましい。
【００１１】
第３の側面の本発明のズームレンズは、前述の基本構成にて、第１レンズ群が、物体側から像側に順に、負レンズ、正レンズを有し、第１レンズ群中の負レンズ、第１レンズ群中の正レンズが共にプラスチックレンズであり、前述の条件式（１）を満足するものである。
【００１２】
条件式（１）の意義については既に説明した。
そして、第１レンズ群にて、物体側から負レンズ、正レンズを配置することで収差の低減に有利となる。
一方、変倍比を確保すると、第１レンズ群の径方向のサイズが大きくなりやすい。
第１レンズ群中の負レンズと正レンズをプラスチックレンズとすることにより第１レンズ群の低コスト化に有利となる。
【００１３】
更には、第１レンズ群中のプラスチックの正レンズと負レンズを共に単レンズとすることで、材料選択の自由度の確保や、屈折面数の確保、レンズ面形状の自由度の確保に有利となり好ましい。
【００１４】
第４の側面の本発明のズームレンズは、前述の基本構成にて、第２レンズ群が、物体側から像側に順に、負レンズを有する負屈折力の前側群と、正レンズと負レンズを有する後側群からなる。
そして、前側群中の負レンズがガラスレンズであり、後側群中の正レンズと負レンズが共にプラスチックレンズであり、前述の条件式（１）を満足するものである。
【００１５】
条件式（１）の意義については既に説明した。
一方、変倍比を確保すると、第２レンズ群の径方向のサイズが大きくなりやすい。
前述した第２レンズ群の構成とすることで、第２レンズ群の十分な負屈折力の確保による小型化、コスト低減、光学性能の確保を行うことに有利となる。
【００１６】
更には、後側群中のプラスチックの正レンズと負レンズを共に単レンズとすることで、材料選択の自由度の確保や、屈折面数の確保、レンズ面形状の自由度の確保に有利となり好ましい。
【００１７】
第５の側面の本発明のズームレンズは、前述の基本構成にて、第１レンズ群は、物体側から像側に順に、負レンズ、正レンズを有し、第１レンズ群中のその負レンズがプラスチックレンズであり、以下の条件式（１）、（２）を満足するものである。
５．３＜ｆｔ／ｆｗ                （１）
ｎ１ｎ＜１．７                    （２）
ただし、ｆｔは前記ズームレンズの望遠端における焦点距離、
ｆｗは前記ズームレンズの広角端における焦点距離、
ｎ１ｎは、前記第１レンズ群中の前記負レンズのｄ線基準の屈折率、
である。
【００１８】
条件式（１）の意義については既に説明した。
一方、変倍比を確保すると、第１レンズ群の径方向が大きくなりやすい。特に最も物体側の負レンズは有効径が大きくなりやすい。
上述のように、第1レンズ群の負レンズをプラスチックレンズとすることで、径の大きい負レンズの軽量化や材料コストの低減につながる。
条件式（２）は、第１レンズ群中の前記負レンズの好ましい屈折率を特定するものである。
上限値を上回らないように負レンズを低屈折率のプラスチックレンズとすることで、コストの低減と、第１レンズ群の正屈折力の十分な確保に有利となる。
【００１９】
ここで、プラスチックレンズを物体側と像側が空気と接する単レンズで構成することで、材料選択の自由度の確保や、屈折面数の確保、レンズ面形状の自由度の確保に有利となり好ましい。
【００２０】
上述の各構成の複数を同時に満足することで効果をより確実にでき好ましい。
また、以下の構成のいずれか１つまたは複数を同時に満足することが好ましい。
【００２１】
第１レンズ群が負レンズと正レンズを有するとき、この負レンズと正レンズが以下の条件式（２）、（３）を満足するプラスチックレンズであることが好ましい。
ｎ１ｎ＜１．７                      （２）
２０＜｜ν１ｎ−ν１ｐ｜＜６０      （３）
ただし、ν１ｎは、前記第１レンズ群中の前記負レンズのｄ線基準のアッベ数、
ν１ｐは、前記第１レンズ群中の前記正レンズのｄ線基準のアッベ数、
であり、ν１ｎ＜ν１ｐ
である。
【００２２】
条件式（２）の意義は既に説明した。
条件式（３）の下限値を下回らないようにアッベ数差を確保することで、色収差の補正に有利となる。上限値を上回らないようにすることで、加工しやすいプラスチック材料の組み合わせにできる。
【００２３】
ズームレンズが、物体側から像側に順に、正屈折力の第１レンズ群と、負屈折力の第２レンズ群と、正屈折力の第３レンズ群と、正屈折力の第４レンズ群とからなることが好ましい。
【００２４】
物体側から順に、正屈折力のレンズ群、負屈折力のレンズ群、正屈折力のレンズ群、正屈折力のレンズ群からなる４群ズームレンズの構成とすることで、十分な変倍比の確保と射出瞳を像面から遠ざける機能の確保に有利となり、電子撮像素子を用いた撮像装置に用いるズームレンズに有利となる。
【００２５】
第２レンズ群が負屈折力の前側群と後側群からなり、その後側群が、物体側から像側に順に負レンズと正レンズを有することが好ましい。
【００２６】
第２レンズ群を、負屈折力の前側群と、物体側から像側に順に負レンズと正レンズを有する後側群にて構成することで、入射瞳を物体側よりにしやすくなり、広画角化と小型化の両立に有利となる。
【００２７】
ズームレンズが、物体側から像側に順に、正屈折力の第１レンズ群と、負屈折力の第２レンズ群と、正屈折力の第３レンズ群と、第４レンズ群を有し、以下の条件式（８）を満足することが好ましい。
２．０＜  β３ｔ／β３ｗ        （８）
ただし、β３ｔは、前記第３レンズ群の望遠端での横倍率、
β３ｗは、前記第３レンズ群の広角端での横倍率、
である。
【００２８】
条件式（８）は、第３レンズ群の好ましい変倍負担を特定するものである。
下限値を下回らないように第３レンズ群の変倍負担を確保することで、第２レンズ群の変倍負担を低減でき、レンズの径の大きくなりやすい第１レンズ群または第２レンズ群のレンズの低コスト化による収差への影響を低減しやすくなる。
【００２９】
コストの低減を考慮すると、後側群中の負レンズと後側群中の正レンズが以下の条件式（４）、（５Ａ）を満足するプラスチックレンズであることが好ましい。
ｎ２２ｎ＜１．５５                    （４）
ｎ２ｐ＜１．７                        （５Ａ）
ただし、ｎ２２ｎは、前記後側群中の前記負レンズのｄ線基準の屈折率、
ｎ２ｐは、前記後側群中の前記正レンズのｄ線基準の屈折率、
である。
【００３０】
後側群中の負レンズと正レンズの双方を条件式（４）、（５Ａ）の上限値を上回らない低屈折率のプラスチックレンズとすることで、コストの低減に有利となる。
【００３１】
一方、光学性能の向上を考慮すると、後側群中の正レンズが非球面をもち、且つ、以下の条件式（５Ｂ）、（１０）を満足するプラスチックレンズであることが好ましい。
１．６４＜ｎ２ｐ                        （５Ｂ）
ν２ｐ＜３７                            （１０）
ただし、ν２ｐは、前記後側群中の前記正レンズのｄ線基準のアッベ数、
である。
【００３２】
正レンズをプラスチックレンズとすることで非球面の使用が容易となる。この非球面の作用により収差補正機能の確保を行える。このとき、正レンズの屈折率が条件式（５Ｂ）の下限値を下回らないようにすることで、非球面の形状を簡易にしても非球面の作用を十分に得やすくなる。加えて、正レンズが偏心した際の偏心収差への影響の低減にも有利となる。
条件式（１０）の上限値を上回らないようにすることで、色収差をキャンセルするための十分な機能を正レンズに持たせることができる。
【００３３】
ズームレンズが、物体側から像側に順に、正屈折力の第１レンズ群と、負屈折力の第２レンズ群と、正屈折力の第３レンズ群と、第４レンズ群を有し、以下の条件式（９）を満足することが好ましい。
０．５＜（β３ｔ／β３ｗ）／（β２ｔ／β２ｗ）＜１．３  （９）
ただし、β３ｔは、前記第３レンズ群の望遠端での横倍率、
β３ｗは、前記第３レンズ群の広角端での横倍率、
β２ｔは、前記第２レンズ群の望遠端での横倍率、
β３ｗは、前記第２レンズ群の広角端での横倍率、
である。
【００３４】
条件式（９）は、第３レンズ群の変倍負担と第２レンズ群の変倍負担との好ましい比を特定するものである。
下限値を下回らないように第３レンズ群の変倍負担を十分に確保し、第２レンズ群の変倍負担を低減するとよい。レンズの径の大きくなりやすい第１レンズ群または第２レンズ群のレンズの低コスト化を行った場合、第２レンズ群での屈折力を高くして、第２レンズ群での変倍負担が過剰に大きくなると収差変動が大きくなりやすい。下限値を下回らないように変倍負担を第３レンズ群にも持たせることで、ズーミングに伴う収差変動を低減しやすくなり好ましい。
上限値を上回らないようにして第２レンズ群の変倍負担を適度に確保して、第３レンズ群の変倍負担の過剰による収差変動を低減することが好ましい。
【００３５】
第１レンズ群が、物体側から像側に順に、負レンズと正レンズの２枚のレンズからなることが好ましい。
【００３６】
第１レンズ群の収差低減とコンパクト化の両立に有利となる。
【００３７】
第２レンズ群が、物体側から像側に順に、第１負レンズ、第２負レンズ、正レンズの３枚のレンズからなることが好ましい。
【００３８】
入射瞳を物体側よりにできるとともに、収差補正とコンパクト化の両立に有利となる。
【００３９】
第３レンズ群が、物体側から像側に順に、正レンズ、負レンズの２枚のレンズからなることが好ましい。
【００４０】
少ないレンズ枚数にて第３レンズ群の主点を物体側よりにでき、変倍比の十分な確保に有利となる。
【００４１】
第２レンズ群が負屈折力の前側群と負レンズと正レンズを有する後側群からなり、その後側群中の負レンズと後側群中の正レンズがともにプラスチックレンズであり、後側群中の負レンズの物体側面と正レンズの像側面がともに非球面であることが好ましい。
【００４２】
低コスト化に有利となる。非球面を上述の位置に配置することで、広角端付近での像面湾曲、倍率の色収差、望遠端付近での球面収差の補正に有利となる。
【００４３】
更に、後側群中の負レンズの像側面と後側群中の正レンズの物体側面がともに球面であることが好ましい。
【００４４】
後側群中の負レンズと正レンズとの偏心時の偏心収差の発生を低減しやすくなる。
【００４５】
広角端から望遠端への変倍の際に、第２レンズ群よりも像側のレンズ群のうちで最も物体側のレンズ群と一体で移動する明るさ絞りを有することが好ましい。
【００４６】
ズームレンズ全体の小型化、収差補正、射出瞳の調整等に有利となる。
【００４７】
またゴースト、フレア等の不要光をカットするために、明るさ絞り以外にフレア絞りを配置してもかまわない。第１レンズ群の物体側、第１、２レンズ群間、第２、３レンズ群間、第３、４レンズ群間、第４レンズ群から像面間等のいずれの場所に配置しても良い。
【００４８】
また各レンズには反射防止コートを行い、ゴースト、フレアを軽減してもかまわない。マルチコートであれば効果的にゴースト、フレアを軽減できるので望ましい。レンズ面上に使用波長レベルの微小突起パターンの形成にて反射防止を行う構成としてもよい。また赤外カットコートをレンズ面、撮像面直前のカバーガラス等に行ってもかまわない。
【００４９】
またピント調節を行うためのフォーカシングはもっとも像側のレンズ群、もしくは像側から２番目のレンズ群で行うことが望ましい。４群ズームレンズや５群ズームレンズとして構成する場合、第４レンズ群や第５レンズ群は１つの単レンズや１つの接合レンズで構成でき、レンズ重量を軽量にできるのでフォーカシングの際のモーターにかかる負荷を少なくできる。さらに、フォーカシング時に全長が変化せず、鏡枠内部に駆動モーターを配置できるため、鏡枠のコンパクト化に有利となる。第１、２、３レンズ群でフォーカシングを行っても良い。また複数のレンズ群を移動してフォーカシングを行っても良い。またズームレンズ全体を繰り出してフォーカシングを行っても良いし、一部のレンズの繰り出し、もしくは繰り込みによりフォーカシングを行っても良い。
【００５０】
また、第６の側面の本発明のズームレンズは、物体側から像側に順に、正屈折力の第１レンズ群と、負屈折力の第２レンズ群と、正屈折力の第３レンズ群と、正屈折力の第４レンズ群を有し、各レンズ群の間の各々の間隔を変化させることにより、広角端から望遠端の変倍を行う４群ズームレンズである。
そして、第１レンズ群が、物体側から像側に順に、負レンズと正レンズの２枚のレンズからなり、第３レンズ群が、第３レンズ群中にて最も物体側に位置するレンズ成分である正屈折力の正レンズ成分と第３レンズ群中にて最も像側に位置するレンズ成分である負屈折力の負レンズ成分を有する。
ここで、レンズ成分は、光路中にて空気に接する面が物体側面と像側面の２つのみのレンズブロックであり、単レンズや複合レンズを意味する。
【００５１】
このような４群ズームレンズの構成とすることで、少ないレンズ群数ながらも十分な変倍比の確保が行えると共に、射出瞳を像面から遠ざける機能の確保に有利となり、電子撮像素子をもつ撮像装置に用いるズームレンズに有利となる。
第１レンズ群にて、物体側から順に負レンズと正レンズを配置することで収差の低減に有利となる。
第３レンズ群中に前述の正レンズ成分と前述の負レンズ成分を配置することで、第３レンズ群の前側主点を第３レンズ群の入射面よりも物体側にしやすくなる。それにより、第２−第３レンズ群間隔の変化量に対する倍率変化を高めることができるので、変倍比の確保と広角端での第２−第３レンズ群間隔の短縮化の両立につながる。
第２レンズ群からの軸上光束は発散して第３レンズ群に入射するが、第２−第３レンズ群間隔を短縮化することで、明るさの確保と第３レンズ群の有効径の小型化の両立に有利となる。
また、第３レンズ群中の前述の負レンズ成分に、第３レンズ群中の正レンズ成分で発生する球面収差やコマ収差をキャンセルする機能をもたせやすくなる。
【００５２】
そして、以下の条件式（１１）、（１２）、（１３）を満足することが好ましい。
２．５  ＜  ｆ１ｐ／ｆ３ｐ                （１１）
−３．４  ＜  ｆ１×ｆ２／ｆ３2  ＜−２．４  （１２）
−０．３  ＜  ｈ３ｆ／ｆ３  ＜  −０．１４  （１３）
ただし、ｆ１ｐは、前記第１レンズ群中の前記正レンズの焦点距離、
ｆ３ｐは、前記第３レンズ群中の前記正レンズ成分の焦点距離、
ｆ１は、前記第１レンズ群の焦点距離、
ｆ２は、前記第２レンズ群の焦点距離、
ｆ３は、前記第３レンズ群の焦点距離、
ｈ３ｆは、前記第３レンズ群の入射面から前記第３レンズ群の前側主点までの光軸上での距離であり、前記前側主点が前記入射面よりも物体側にあるときは負符号、前記前側主点が前記入射面よりも像側にあるときは正符号
である。
【００５３】
条件式（１１）の下限値を下回らないようにして、第１レンズ群中の正レンズの屈折力を抑えることで、第１レンズ群中のレンズ枚数を２枚としても、望遠端でのコマ収差、像面湾曲、倍率色収差等の発生を低減しやすくなる。
もしくは、第３レンズ群中の正レンズ成分の屈折力を十分に確保することで、広角端での第２−第３レンズ群間隔を小さくでき、小型化に有利となる。
条件式（１２）の下限値を下回らないようにして、第３レンズ群の屈折力を適度に抑え、第３レンズ群で発生する球面収差、コマ収差を低減することが好ましい。また、第３レンズ群と第４レンズ群とで、結像機能を果たすことになるが、第４レンズ群の正屈折力を高くできる。その場合、第４レンズ群をフォーカシングのために移動させる場合、第４レンズ群のフォーカス感度の確保に有利となる。
条件式（１２）の上限値を上回らないようにして、第３レンズ群の屈折力を確保することで、ズームレンズ全長の短縮化に有利となる。また、第１レンズ群、第２レンズ群の屈折力を適度に抑えることで、倍率色収差、像面湾曲の低減に有利となる。
条件式（１３）の下限値を下回らないようにして、第３レンズ群の屈折力を適度に抑え、第３レンズ群で発生する球面収差、コマ収差を低減することが好ましい。また、第４レンズ群の正屈折力を確保しやすくなり、第４レンズ群をフォーカシングのために移動させる場合、第４レンズ群のフォーカス感度の確保に有利となる。
条件式（１３）の上限値を上回らないようにして、第３レンズ群の屈折力を確保することで、第３レンズ群の変倍作用を確保しやすくなる。また、第３レンズ群の前側主点を物体側よりにすることで、結果として広角端時の第１レンズ群を第３レンズ群に近づけられ、第１レンズ群の径方向の小型化に有利となる。
【００５４】
また、以下の条件式（１４）を満足することが好ましい。
２  ＜  （Ｒ１ｏｂｊ＋Ｒ１ｎｉｍｇ）／（Ｒ１ｏｂｊ−Ｒ１ｎｉｍｇ）＜７  （１４）
ただし、
Ｒ１ｏｂｊは、前記第１レンズ群の物体側面の近軸曲率半径、
Ｒ１ｎｉｍｇは、前記第１レンズ群中の前記負レンズの像側面の近軸曲率半径、
である。
【００５５】
負レンズが下限値を下回らないメニスカスの形状となることで、負レンズの屈折力を低減して第１レンズ群の正屈折力を十分に確保しやすくなり、ズームレンズの全長の短縮化に有利となる。
上限値を上回らないようにすることで、負レンズによる色収差補正機能を確保しやすくなる。
【００５６】
また、以下の条件式（１５）を満足することが好ましい。
−１．０＜（Ｒ１ｏｂｊ＋Ｒ１ｉｍｇ）／（Ｒ１ｏｂｊ−Ｒ１ｉｍｇ）＜０．０  （１５）
ただし、                                                                        
Ｒ１ｏｂｊは、前記第１レンズ群の物体側面の近軸曲率半径、
Ｒ１ｉｍｇは、前記第１レンズ群の像側面の近軸曲率半径、
である。
【００５７】
下限値を下回らないようにして、第１レンズ群を両凸形状にすることで、第１レンズ群の正屈折力を十分に確保しやすくなり、ズームレンズの全長の短縮化に有利となる。
上限値を上回らないようにして、第１レンズ群の像側面の正屈折力を抑えることで、正レンズの屈折力を抑え、第１レンズ群における色収差を抑えやすくなる。
【００５８】
また、以下の条件式（１６）を満足することが好ましい。
−１．１＜（Ｒ１ｐｏｂｊ＋Ｒ１ｉｍｇ）／（Ｒ１ｐｏｂｊ−Ｒ１ｉｍｇ）＜−０．５  （１６）
ただし、
Ｒ１ｐｏｂｊは、前記第１レンズ群中の前記正レンズの物体側面の近軸曲率半径、
Ｒ１ｉｍｇは、前記第１レンズ群の像側面の近軸曲率半径、
である。
【００５９】
下限値を下回らないようにすることで、正レンズの屈折力を十分に維持でき、第１レンズ群の屈折力の確保によるズームレンズ全長の小型化に有利となる。
上限値を上回らないようにすることで、色収差の低減、望遠端付近でのコマ収差の低減に有利となる。
【００６０】
また、以下の条件式（１７）を満足することが好ましい。
−０．９＜（Ｒ３ｏｂｊ＋Ｒ３ｐｉｍｇ）／（Ｒ３ｏｂｊ−Ｒ３ｐｉｍｇ）＜−０．５  （１７）
ただし、
Ｒ３ｏｂｊは、前記第３レンズ群の物体側面の近軸曲率半径、
Ｒ３ｐｉｍｇは、前記第３レンズ群中の前記正レンズ成分の像側面の近軸曲率半径、
である。
【００６１】
下限値を下回らないようにすることで、正レンズ成分の正屈折力を十分に確保でき、第３レンズ群の屈折力の確保に有利となる。正レンズ成分の物体側面の屈折力を適度に抑えることで、球面収差の低減に有利となる、
上限値を上回らないようにすることで、正レンズ成分の主点を物体側よりにでき、第３レンズ群全体の前側主点を物体側よりにしやすくなる。
【００６２】
また、以下の条件式（１８）を満足することが好ましい。
１．５＜（Ｒ３ｎｏｂｊ＋Ｒ３ｉｍｇ）／（Ｒ３ｎｏｂｊ−Ｒ３ｉｍｇ）＜６  （１８）
ただし、
Ｒ３ｎｏｂｊは、前記第３レンズ群中の前記負レンズ成分の物体側面の近軸曲率半径、
Ｒ３ｉｍｇは、前記第３レンズ群の像側面の近軸曲率半径、
である。
【００６３】
下限値を下回らないようにすることで、第３レンズ群の射出面の曲率を十分に確保でき、第３レンズ群全体の前側主点を物体側よりにしやすくなる。変倍比の確保とズームレンズ全長の短縮化の両立に有利となる。
上限値を上回らないようにすることで、第３レンズ群の射出面の曲率を抑え、球面収差・コマ収差の低減に有利となる。
【００６４】
また、第３レンズ群の物体側面は物体側に凸であり、第３レンズ群の像側面は像側に凹であり、以下の条件式（１９）を満足することが好ましい。
０．７＜Ｒ３ｏｂｊ／Ｒ３ｉｍｇ＜１．５  （１９）
ただし、
Ｒ３ｏｂｊは、前記第３レンズ群の物体側面の近軸曲率半径、
Ｒ３ｉｍｇは、前記第３レンズ群の像側面の近軸曲率半径、
である。
【００６５】
下限値を下回らないようにして第３レンズ群の像側面の負屈折力を確保しやすくすることで第３レンズ群の主点を物体側よりにしやすくなる。
上限値を上回らないようにすることで、第３レンズ群の収差を抑えつつ正屈折力の確保に有利となる。
【００６６】
また、第３レンズ群の物体側面と像側面が共に非球面であることが好ましい。
第３レンズ群における球面収差やコマ収差の低減に有利となる。
第３レンズ群の正屈折力を十分に確保しつつ主点を物体側よりにするには、第３レンズ群の物体側面を凸面にし、像側面を凹面にして共に曲率を高めることが好ましい。これらの面を非球面とすることで、光学性能を維持でき好ましい。
【００６７】
また、第３レンズ群中の負レンズ成分が以下の条件式（２０）を満足する負レンズであることが好ましい。
１．６３＜ｎ３ｎ    （２０）
ただし、ｎ３ｎは、前記第３レンズ群中の前記負レンズのｄ線基準の屈折率、
である。
第３レンズ群の前側主点を物体側よりにする機能を高められる。屈折率を高めることで像側面の曲率を低くでき、球面収差とコマ収差の低減にも有利となる。
【００６８】
また、第３レンズ群中のレンズ成分の総数が２であることが好ましい。
更には、第３レンズ群中のレンズの総数が２であることがより好ましい。
不使用時にズームレンズを撮像装置の本体に収納する際の小型化に有利となる。
【００６９】
また、第６の側面のズームレンズは、前述の第１から第５の側面のズームレンズの構成のいずれかを同時に満足することがより好ましい。また、第１から第５の側面のズームレンズにて、第６の側面にて説明した第３レンズ群の好ましい構成を特定するなどしてもよい。つまり、上述の構成要件は相互に組み合わせて構わない。
例えば、第６の側面のズームレンズにて、前述の条件式（２）、（３）、（８）や（９）を満足することがより好ましい。
【００７０】
また、本発明の撮像装置は、上述のいずれかのズームレンズと、その像側に配置され、ズームレンズにより形成された像を撮像する撮像面を持ち、その像を電気信号に変換する撮像素子とを有する。
それにより、上述の効果を奏するズームレンズを備えた撮像装置を提供できる。
【００７１】
画像処理により画像周辺部の露出の低下量を補正しても良い。
また意図的に光学系で歪曲収差を出しておき、撮影後に電気的に画像処理を行って歪みを補正してもかまわない。
【００７２】
上述の各構成や条件式は、それらのうちの複数を同時に満足することがより好ましい。
また、ズームレンズがフォーカシング機構を備える場合は、上述の各構成、条件式はズームレンズが最も遠距離に合焦した状態での構成とする。
【００７３】
また、上述の各条件式について、更に以下のようにすると、その効果をより確実にでき好ましい。
【００７４】
条件式（１）について
下限値を６．５とすることがより好ましい。
上限値３０を設け、これを上回らないようにすることで、望遠端での全長の増大を低減しやすくなり好ましい。
更には、上限値を２２．０とすることがより好ましい。
【００７５】
条件式（２）について
上限値を１．６４とすることがより好ましい。
下限値１．５を設け、これを下回らないようにすることで、プラスチックの負レンズによる分散機能を十分に確保しやすくなり、第１レンズ群の色収差の低減に有利となる。
【００７６】
条件式（３）について
下限値を２５、更には３０とすることがより好ましい。
上限値を５０、更には４０とすることがより好ましい。
【００７７】
条件式（４）について
上限値を１．５４とすることがより好ましい。
下限値１．４を設け、これを下回らないようにすることで、プラスチックの負レンズの負屈折力を得やすくなり、第２レンズ群の十分な負屈折力の確保と収差低減に有利となる。
【００７８】
条件式（５Ａ）について
上限値を１．６５とすることがコスト低減の点でより好ましい。
下限値１．６を設け、これを下回らないようにすることで、プラスチックの正レンズの正屈折力を得やすくなり、第２レンズ群の主点を物体側よりにでき、第２レンズ群の径方向の小型化に有利となる。
【００７９】
条件式（５Ｂ）について
収差補正の観点から、下限値を１．６７、更には１．７０とすることが好ましい。
上限値１．７８を設け、これを上回らないようにすることが材料コスト低減の点で好ましい。
【００８０】
条件式（６）について
下限値を−０．２１とすることがより好ましい。
上限値を−０．０９４とすることがより好ましい。
【００８１】
条件式（７）について
下限値−０．２を設け、これを下回らないようにすることが第２レンズ群の前側群の負レンズの材料コストを抑える点でより好ましい。
上限値を−０．０９３とすることがより好ましい。
【００８２】
条件式（８）について
下限値を２．１とすることがより好ましい。
上限値５．０を設け、これを上回らないようにすることで、第３レンズ群の屈折力、又は第３レンズ群の移動量を低減でき、小型化等に有利となる。
更には、上限値を３．０とすることがより好ましい。
【００８３】
条件式（９）について
下限値を０．５５、更には０．５８とすることがより好ましい。
上限値を１．２５、更には１．２とすることがより好ましい。
【００８４】
条件式（１０）について
上限値を３４とすることが色収差補正の点でより好ましい。
下限値１９．５を設け、これを下回らないようにすることで、正レンズのコスト低減に有利となる。
【００８５】
条件式（１１）について
下限値を３．０とすることがより好ましい。
上限値８．０、更に好ましくは６．０を設けてこれを上回らないようにしてもよい。第１レンズ群の正屈折力の確保による全長の短縮化に有利となる。
【００８６】
条件式（１２）について
下限値を−３．２、更には−３．０とすることがより好ましい。
【００８７】
条件式（１３）について
下限値を−０．２とすることがより好ましい。
上限値を−０．１４５とすることがより好ましい。
【００８８】
条件式（１４）について
下限値を３、更には３．５とすることがより好ましい。
上限値を６、更には５とすることがより好ましい。
【００８９】
条件式（１５）について
下限値を−０．９とすることがより好ましい。
上限値を−０．０５とすることがより好ましい。
【００９０】
条件式（１６）について
下限値を−１．０、更には−０．９２とすることがより好ましい。
上限値を−０．６、更には−０．７とすることがより好ましい。
【００９１】
条件式（１７）について
下限値を−０．８とすることがより好ましい。
上限値を−０．６、更には−０．７とすることがより好ましい。
【００９２】
条件式（１８）について
下限値１．７とすることがより好ましい。
上限値を５、更には３．５とすることがより好ましい。
【００９３】
条件式（１９）について
下限値を０．７５、更には１．１とすることがより好ましい。
上限値を１．４５とすることがより好ましい。
条件式（２０）について
上限値２．４を設け、これを上回らないようにすることで、負レンズのコスト低減に有利となる。
【発明の効果】
【００９４】
本発明によれば、少なくとも４つのレンズ群を含むズームレンズにおけるコストの低減に有利なズームレンズを提供できる。
更には、そのようなズームレンズを備えた撮像装置を提供できる。
【図面の簡単な説明】
【００９５】
【図１】本発明のズームレンズの実施例１の無限遠物点合焦時の広角端と望遠端でのレンズ断面図と広角端から望遠端にかけての各レンズ群の移動方式を表す図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】本発明のズームレンズの実施例６の図１と同様の図である。
【図７】本発明のズームレンズの実施例７の図１と同様の図である。
【図８】本発明のズームレンズの実施例８の図１と同様の図である。
【図９】本発明のズームレンズの実施例９の図１と同様の図である。
【図１０】実施例１の無限遠距離合焦時の収差図である。
【図１１】実施例２の無限遠距離合焦時の収差図である。
【図１２】実施例３の無限遠距離合焦時の収差図である。
【図１３】実施例４の無限遠距離合焦時の収差図である。
【図１４】実施例５の無限遠距離合焦時の収差図である。
【図１５】実施例６の無限遠距離合焦時の収差図である。
【図１６】実施例７の無限遠距離合焦時の収差図である。
【図１７】実施例８の無限遠距離合焦時の収差図である。
【図１８】実施例９の無限遠距離合焦時の収差図である。
【図１９】本発明によるデジタルカメラの外観を示す前方斜視図である。
【図２０】図１９のデジタルカメラの後方図である。
【図２１】図１９のデジタルカメラの部分透視図である。
【図２２】図１９のデジタルカメラの主要部の内部回路の構成ブロック図である。
【図２３】本発明のズームレンズの実施例１０の図１と同様の図である。
【図２４】実施例１０の無限遠距離合焦時の収差図である。
【発明を実施するための形態】
【００９６】
以下に本発明に基づく実施の形態について説明する。いずれの実施例も、低コスト化を図りながらも、上述のような工夫を施すことで、広い広角端画角をもち、明るく、光学性能も良好なズームレンズを提供している。
【００９７】
また、各実施例のズームレンズは、デジタルカメラの撮影レンズに用いることができる。監視カメラやビデオカメラに用いてもよい。
【００９８】
具体的には、各実施例は、広角端での画角が８０°程度と広く、ズーム比が７．４倍以上を有し、結像性能が高く、沈胴時の薄型化も図れるコンパクトなズームレンズとなっている。
このようなズームレンズを撮像装置に搭載することにより、携帯性を損なうことなくさまざまな撮影シーンに対応でき、コストを抑えながらも結像性能も良好な撮像装置となる。
【００９９】
以下に示す各実施例は、デジタルカメラのズームレンズおよびそれを備えた撮像装置の例である。実施例１〜９と１０は広角端付近を除く変倍域にて有効撮像領域は矩形で一定である。広角端付近では、有効撮像領域をたる型にし、画像処理により、たる型の有効撮像領域の画像を矩形に変換して歪曲収差が補正された画像を生成するようにしている。
【０１００】
各実施形態での条件式対応値は無限遠物点に合焦した状態での値である。全長は、レンズの入射面から射出面までの光軸上の距離にバックフォーカスfb (in air)を加えたものである。バックフォーカスfb (in air)は、空気換算長で示している。
【０１０１】
以下に、本発明に係るズームレンズ、撮像装置の実施例を図面に基づいて詳細に説明する。なお、この実施例によりこの発明が限定されるものではない。
【０１０２】
図１から図９、２３は、本発明のズームレンズの実施例１から９、１０の無限遠物点合焦時の広角端（Ｗ）、望遠端（Ｔ）でのレンズ断面図と広角端から望遠端にかけての各レンズ群の移動方式を表す図である。
実施例１、３から５、７、８、９、１０のズームレンズは、物体側から像側へ順に、正屈折力の第１レンズ群Ｇ１、負屈折力の第２レンズ群Ｇ２、正屈折力の第３レンズ群Ｇ３、正屈折力の第４レンズ群Ｇ４を有して構成されている。実施例２と６は、物体側から像側へ順に、正屈折力の第１レンズ群Ｇ１、負屈折力の第２レンズ群Ｇ２、正屈折力の第３レンズ群Ｇ３、負屈折力の第４レンズ群Ｇ４、正屈折力の第５レンズ群Ｇ５を有して構成されている。
各実施例共通で明るさ絞りＳは第３レンズ群Ｇ３直前に配置され、広角端から望遠端への変倍時には第３レンズ群Ｇ３と一体で移動する。
第４レンズ群Ｇ４（実施例２と６では第５レンズ群Ｇ５）の像側には、ＩＲカットコートを施したローパスフィルターＦとＣＣＤ（あるいはＣＭＯＳ等）のカバーガラスＣが配置され、ＣＣＤの撮像面上に像面Ｉが形成される。
明るさ絞りＳは開口サイズが可変の開口部をもち、Ｆナンバーを変更可能としている。  後述する数値実施例のＦナンバーは変更可能の範囲での最小Ｆナンバーを示している。  
【０１０３】
以下、各実施例における各レンズ群内の構成について説明する。
【０１０４】
実施例１におけるズームレンズは、図１および後述する数値データにて示すように構成される。
第１レンズ群Ｇ１は、物体側から順に、物体側に凸面を向けた負メニスカスレンズと、両凸正レンズの２つの単レンズからなる。いずれのレンズもプラスチックレンズである。
第２レンズ群Ｇ２は、物体側から順に、両凹負レンズと、非球面の物体側面をもち物体側に凸面を向けた負メニスカスレンズと、非球面の像側面をもち物体側に凸面を向けた正メニスカスレンズの３つの単レンズからなる。両凹負レンズにて前側群を構成し、像側の２つのレンズにて後側群を構成している。両凹負レンズはガラスレンズであり、像側の２つのレンズはプラスチックレンズである。後側群中の負メニスカスレンズの像側面と正メニスカスレンズの物体側面はともに球面である。
第３レンズ群Ｇ３は、物体側から順に、非球面の物体側面をもつ両凸正レンズと、非球面の像側面をもち物体側に凸面を向けた負メニスカスレンズの２つの単レンズからなる。両凸正レンズはガラスレンズであり、負メニスカスレンズはプラスチックレンズである。
第４レンズ群Ｇ４は、非球面の像側面をもち、像側に凸面を向けた正メニスカスレンズからなる。正メニスカスレンズはプラスチックレンズである。
【０１０５】
実施例２におけるズームレンズは、図２および後述する数値データにて示すように構成される。
第１レンズ群Ｇ１は、物体側から順に、非球面の物体側面をもち物体側に凸面を向けた負メニスカスレンズと、非球面の像側面をもつ両凸正レンズの２つの単レンズからなる。いずれのレンズもプラスチックレンズである。
第２レンズ群Ｇ２は、物体側から順に、両凹負レンズと、非球面の物体側面をもつ両凹負レンズと非球面の像側面をもつ両凸正レンズの３つの単レンズからなる。物体側の両凹負レンズにて前側群を構成し、像側の２つのレンズにて後側群を構成している。物体側の両凹負レンズはガラスレンズであり、像側の２つのレンズはプラスチックレンズである。後側群中の両凹負レンズの像側面と両凸正レンズの物体側面はともに球面である。
第３レンズ群Ｇ３は、物体側から順に、非球面の物体側面と像側面をもつ両凸正レンズと、物体側に凸面を向けた負メニスカスレンズと両凸正レンズとの接合レンズからなる。いずれのレンズもガラスレンズである。
第４レンズ群Ｇ４は、物体側に凸面を向けた負メニスカスレンズからなる。負メニスカスレンズはプラスチックレンズである。
第５レンズ群Ｇ５は、非球面の物体側面と像側面を持つ両凸正レンズからなる。両凸正レンズはプラスチックレンズである。
【０１０６】
実施例３におけるズームレンズは、図３および後述する数値データにて示すように構成される。
第１レンズ群Ｇ１は、物体側から順に、物体側に凸面を向けた負メニスカスレンズと、非球面の像側面をもつ両凸正レンズの２つの単レンズからなる。いずれのレンズもプラスチックレンズである。
第２レンズ群Ｇ２は、物体側から順に、両凹負レンズと、非球面の物体側面をもち物体側に凸面を向けた負メニスカスレンズと、非球面の像側面をもつ両凸正レンズと、像側に凸面を向けた負メニスカスレンズの４つの単レンズからなる。両凹負レンズにて前側群を構成し、像側の３つのレンズにて後側群を構成している。前側群中の両凹負レンズはガラスレンズであり、像側の３つのレンズはプラスチックレンズである。後側群中の物体側に凸面を向けた負メニスカスレンズの像側面と両凸正レンズの物体側面はともに球面である。
第３レンズ群Ｇ３は、実施例１での説明と同じである。
第４レンズ群Ｇ４は、実施例１での説明と同じである。
【０１０７】
実施例４におけるズームレンズは、図４および後述する数値データにて示すように構成される。
第１レンズ群Ｇ１は、実施例３での説明と同じである。
第２レンズ群Ｇ２は、物体側から順に、両凹負レンズと、非球面の物体側面と像側面をもち像側へ凸面を向けた正メニスカスレンズと、非球面の像側面をもち像側へ凸面を向けた負メニスカスレンズの３つの単レンズからなる。両凹負レンズにて前側群を構成し、像側の２つのレンズにて後側群を構成している。前側群中の両凹負レンズはガラスレンズであり、像側の２つのレンズはプラスチックレンズである。
第３レンズ群Ｇ３は、実施例１での説明と同じである。
第４レンズ群Ｇ４は、実施例１での説明と同じである。
【０１０８】
実施例５におけるズームレンズは、図５および後述する数値データにて示すように構成される。
第１レンズ群Ｇ１は、実施例３での説明と同じである。
第２レンズ群Ｇ２は、物体側から順に、両凹負レンズと、非球面の物体側面と像側面をもち物体側に凸面を向けた正メニスカスレンズの２つの単レンズからなる。両凹負レンズはガラスレンズであり、正メニスカスレンズはプラスチックレンズである。
第３レンズ群Ｇ３は、実施例１での説明と同じである。
第４レンズ群Ｇ４は、非球面の像側面をもつ両凸正レンズからなる。両凸正レンズはプラスチックレンズである。
【０１０９】
実施例６におけるズームレンズは、図６および後述する数値データにて示すように構成される。
第１レンズ群Ｇ１は、物体側から順に、非球面の物体側面と像側面をもち物体側に凸面を向けた負メニスカスレンズと、非球面の物体側面と像側面をもつ両凸正レンズの２つの単レンズからなる。いずれのレンズもプラスチックレンズである。
第２レンズ群Ｇ２は、物体側から順に、両凹負レンズと、非球面の物体側面と像側面をもつ両凹負レンズと、両凸正レンズの３つの単レンズからなる。３つの単レンズはガラスレンズである。
第３レンズ群Ｇ３は、実施例２での説明と同じである。
第４レンズ群Ｇ４は、両凹負レンズからなる。両凹負レンズはガラスレンズである。
第５レンズ群Ｇ５は、非球面の物体側面と像側面をもち像側に凸面を向けたメニスカス正レンズからなる。メニスカス正レンズはガラスレンズである。
【０１１０】
実施例７におけるズームレンズは、図７および後述する数値データにて示すように構成される。
第１レンズ群Ｇ１は、実施例１での説明と同じである。
第２レンズ群Ｇ２は、実施例１での説明と同じである。
第３レンズ群Ｇ３は、実施例１での説明と同じである。
第４レンズ群Ｇ４は、実施例１での説明と同じである。
【０１１１】
実施例８におけるズームレンズは、図８および後述する数値データにて示すように構成される。
第１レンズ群Ｇ１は、実施例１での説明と同じである。
第２レンズ群Ｇ２は、物体側から順に、物体側に凸面を向けた負メニスカスレンズと、非球面の物体側面をもつ両凹負レンズと、非球面の像側面をもつ両凸正レンズの３つの単レンズからなる。負メニスカスレンズにて前側群を構成し、像側の２つのレンズにて後側群を構成している。前側群中の負メニスカスレンズはガラスレンズであり、像側の２つのレンズはプラスチックレンズである。後側群中の両凹負レンズの像側面と両凸正レンズの物体側面はともに球面である。
第３レンズ群Ｇ３は、実施例１での説明と同じである。
第４レンズ群Ｇ４は、実施例１での説明と同じである。
【０１１２】
実施例９におけるズームレンズは、図９および後述する数値データにて示すように構成される。
第１レンズ群Ｇ１は、物体側から順に、物体側に凸面を向けた負メニスカスレンズと、両凸正レンズの２つの単レンズからなる。いずれのレンズもガラスレンズである。
第２レンズ群Ｇ２は、実施例１での説明と同じである。
第３レンズ群Ｇ３は、実施例１での説明と同じである。
第４レンズ群Ｇ４は、実施例１での説明と同じである。
【０１１３】
実施例１０におけるズームレンズは、図２３および後述する数値データにて示すように構成される。
第１レンズ群Ｇ１は、実施例３での説明と同じである。
第２レンズ群Ｇ２は、物体側から順に、両凹負レンズと、非球面の物体側面をもつ両凹負レンズと、非球面の像側面をもつ両凸正レンズの３つの単レンズからなる。物体側の両凹負レンズにて前側群を構成し、像側の２つのレンズにて後側群を構成している。前側群中の両凹負レンズはガラスレンズであり、像側の２つのレンズはプラスチックレンズである。後側群中の両凹負レンズの像側面と両凸正レンズの物体側面はともに球面である。
第３レンズ群Ｇ３は、物体側から順に、非球面の物体側面と像側面をもつ両凸正レンズと、非球面の像側面をもち物体側に凸面を向けた負メニスカスレンズの２つの単レンズからなる。両凸正レンズはガラスレンズであり、負メニスカスレンズはプラスチックレンズである。
第４レンズ群Ｇ４は、非球面の像側面をもち、像側に凸面を向けた平凸正レンズからなる。平凸正レンズはプラスチックレンズである。
【０１１４】
各実施例の広角端から望遠端にかけての各レンズ群の移動方式は図１から図９、２３の矢印にて模式的に示している。詳細なレンズ面間隔は各実施例のレンズデータに示される。
【０１１５】
実施例１における上述の移動方式について説明する。
第１レンズ群Ｇ１は物体側にのみ移動する。
第２レンズ群Ｇ２は広角端での位置に対して望遠端にて物体側に位置するように、像側に移動後物体側に移動し再び像側に移動する。
第３レンズ群Ｇ３は物体側にのみ移動する。
第４レンズ群Ｇ４は広角端での位置に対して望遠端にて像側に位置するように、像側に移動後物体側に移動する。
第４レンズ群Ｇ４を物体側に移動させることで無限遠距離から至近距離へのフォーカシングを行う。フォーカシングに関しては実施例３から５、７から９、１０も実施例１と同様である。
【０１１６】
実施例２における上述の移動方式について説明する。
第１レンズ群Ｇ１は広角端での位置に対して望遠端にて物体側に位置するように、像側に移動後物体側に移動する。
第２レンズ群Ｇ２は広角端での位置に対して望遠端にて像側に位置するように、像側に移動後物体側に移動する。
第３レンズ群Ｇ３は物体側にのみ移動する。
第４レンズ群Ｇ４は第３レンズ群との距離を変えながら物体側にのみ移動する。
第５レンズ群Ｇ５は像側にのみ移動する。
第４レンズ群Ｇ４を像側に移動させることで無限遠距離から至近距離へのフォーカシングを行う。フォーカシングに関しては実施例６も実施例２と同様である。
【０１１７】
実施例３における上述の移動方式について説明する。
第１レンズ群Ｇ１、第４レンズ群Ｇ４についての説明は実施例１に同じである。
第２レンズ群Ｇ２は広角端での位置に対して望遠端にて像側に位置するように、像側に移動後物体側に移動し再び像側に移動する。
第３レンズ群Ｇ３は広角端での位置に対して望遠端にて物体側に位置するように、物体側に移動後像側に移動する。
【０１１８】
実施例４における上述の移動方式について説明する。
第１レンズ群Ｇ１、第２レンズ群Ｇ２、第３レンズ群Ｇ３についての説明は実施例１に同じである。
第４レンズ群Ｇ４は広角端での位置に対して望遠端にて像側に位置するように、像側に移動する。
【０１１９】
実施例５における上述の移動方式について説明する。
第１レンズ群Ｇ１、第３レンズ群Ｇ３、第４レンズ群Ｇ４についての説明は実施例１に同じである。
第２レンズ群Ｇ２は広角端での位置に対して望遠端にて像側に位置するように、物体側に移動後像側に移動する。
【０１２０】
実施例６における上述の移動方式について説明する。
第１レンズ群Ｇ１についての説明は実施例１に同じである。
第２レンズ群Ｇ２についての説明は実施例３に同じである。
第３レンズ群Ｇ３、第４レンズ群Ｇ４、第５レンズ群Ｇ５についての説明は実施例２に同じである。
【０１２１】
実施例７における上述の移動方式について説明する。
第１レンズ群Ｇ１、第３レンズ群Ｇ３、第４レンズ群Ｇ４についての説明は実施例１に同じである。
第２レンズ群Ｇ２は広角端での位置に対して望遠端にて物体側に位置するように、物体側に移動後像側に移動する。
【０１２２】
実施例８における上述の移動方式について説明する。
第１レンズ群Ｇ１、第３レンズ群Ｇ３、第４レンズ群Ｇ４についての説明は実施例１に同じである。
第２レンズ群Ｇ２についての説明は実施例３に同じである。
【０１２３】
実施例９における上述の移動方式について説明する。
第１レンズ群Ｇ１、第２レンズ群Ｇ２、第３レンズ群Ｇ３、第４レンズ群Ｇ４についての説明は実施例１に同じである。
【０１２４】
実施例１０における上述の移動方式について説明する。
第１レンズ群Ｇ１についての説明は実施例１に同じである。
第２レンズ群Ｇ２についての説明は実施例７に同じである。
第３レンズ群Ｇ３は、広角端での位置に対して望遠端にて物体側に位置するように、物体側に移動後静止する。
第４レンズ群Ｇ４についての説明は実施例４に同じである。
【０１２５】
以下、各実施例におけるレンズの数値データを示す。
各実施例におけるレンズの数値データにおいては、ｒは各レンズ面の曲率半径、ｄは各レンズの肉厚または間隔、ｎｄは各レンズのｄ線における屈折率、νｄは各レンズのｄ線におけるアッベ数、Kは円錐係数、A4、A6、A8、A10、A12は非球面係数、e±Nは×１０±Nをそれぞれ示している。
また、各非球面形状は、各実施例における各非球面係数を用いて、以下の式で表される。
Ｚ＝（Ｙ2／ｒ）／[１＋｛１−（１＋Ｋ）・（Ｙ／ｒ）2｝1/2]
＋A4×Ｙ4＋A6×Ｙ6＋A8×Ｙ8＋A10×Ｙ10＋A12×Ｙ12
ただし、光軸方向の座標をＺ、光軸と垂直な方向の座標をＹとする。
【０１２６】
ズームデータにおける、Ｗは広角端状態を意味し、Ｔは望遠端状態を意味する。Ｓ１、Ｓ２、Ｓ３は広角端状態から望遠端状態への変化の過程の第１中間状態（Ｓ１）、第２中間状態（Ｓ２）、第３中間状態（Ｓ３）を意味する。
【０１２７】
数値実施例１
単位     ｍｍ
面データ
面番号                    ｒ         ｄ        ｎｄ      νｄ
1                  16.468      0.70     1.63493    23.90
2                  11.322      0.10
3                  11.841      2.62     1.53071    55.69
4                -244.182      可変
5                -147.785      0.29     1.78800    47.37
6                   5.078      1.81
7（非球面）        61.353      0.60     1.53071    55.69
8                   6.130      0.10
9                   6.415      1.67     1.63493    23.90
10（非球面）        39.748      可変
11（明るさ絞り）      ∞        0.20
12（非球面）         3.336      1.32     1.58313    59.38
13                 -15.912      0.10
14                   6.700      0.70     1.63493    23.90
15（非球面）         2.712      可変
16                -119.290      1.25     1.53071    55.69
17（非球面）        -9.547      可変
18                    ∞        0.30     1.51633    64.14
19                    ∞        0.40
20                    ∞        0.50     1.51633    64.14
21                    ∞        0.53
像面（撮像面）        ∞
非球面データ
第7面
K=0.000,A4=-1.76559e-04,A6=-2.73396e-06,A8=8.43045e-07
第10面
K=0.000,A4=-6.62891e-04
第12面
K=0.000,A4=-2.32754e-03,A6=-2.99006e-04 
第15面
K=0.000,A4=2.18060e-03
第17面
K=0.000,A4= 6.17223e-04,A6= -1.10727e-05
ズームデータ
W         S2        T         S1        S3
焦点距離       4.51     12.39     33.72      7.90     20.51
ＦＮＯ．       3.49      5.55      6.50      4.77      6.50
画角２ω      80.18     33.51     12.38     52.74     20.51
d4           0.30      5.29     15.66      0.78     10.01 
d10         10.40      3.91      0.10      5.87      2.13 
d15          3.74     11.99     15.26      9.20     15.31 
d17          3.97      2.63      3.00      2.79      2.24 
fb (in air)        5.38      4.05      4.40      4.26      3.66
全長 (in air)     31.27     36.70     46.88     31.57     42.56
各群焦点距離
1群       2群       3群       4群
33.79     -6.48      8.44     19.48 
【０１２８】
数値実施例２
単位     ｍｍ
面データ
面番号                    ｒ         ｄ        ｎｄ      νｄ
1（非球面）        24.410      0.80     1.63493    23.90
2                  14.459      0.10
3                  13.681      3.64     1.53071    55.69
4（非球面）       -65.212      可変
5                 -84.556      0.40     1.83481    42.71
6                   6.379      3.36
7（非球面）        -7.908      0.45     1.53071    55.69
8                  20.528      0.17
9                  13.407      2.07     1.63493    23.90
10（非球面）       -22.785      可変
11（明るさ絞り）      ∞        0.66
12（非球面）         6.354      2.08     1.58313    59.38
13（非球面）       -24.704      0.98
14                  12.638      0.74     1.90366    31.32
15                   4.379      2.68     1.48749    70.23
16                 -16.230      可変
17                  43.686      0.40     1.53071    55.69
18                   4.437      可変
19（非球面）       149.868      2.43     1.53071    55.69
20（非球面）        -8.366      可変
21                    ∞        0.30     1.51633    64.14
22                    ∞        0.40
23                    ∞        0.50     1.51633    64.14
24                    ∞        0.53
像面（撮像面）        ∞
非球面データ
第1面
K=0.000,A4=5.14602e-06,A6=1.48986e-08,A8=5.90757e-10
第4面
K=0.000,A4=2.55043e-05,A6=4.17894e-08,A8=5.25814e-10
第7面
K=0.000,A4=5.06184e-04,A6=4.68587e-07,A8=8.51029e-08
第10面
K=0.000,A4=2.25234e-04,A6=-8.01083e-07
第12面
K=0.000,A4=-4.07973e-04,A6=7.55715e-06,A8=-1.35275e-06,A10=5.42422e-08
第13面
K=0.000,A4=3.31373e-04,A6=1.07658e-05,A8=-1.59782e-06,A10=7.28276e-08
第19面
K=0.000,A4=1.30784e-04,A6=2.57915e-05 
第20面
K=0.000,A4=7.54269e-04,A6=-4.16843e-06,A8=7.76650e-07,A10=-6.49906e-09
ズームデータ
W         S2        T         S1        S3
焦点距離       4.55     16.94     69.79      8.43     35.65
ＦＮＯ．       2.65      4.20      6.50      3.25      5.46
画角２ω      79.08     24.47      6.46     47.34     12.31
d4           0.45      8.92     19.10      3.06     14.65 
d10         18.68      5.94      0.54      9.90      3.10 
d16          2.24      4.02      4.06      3.46      4.21 
d18          2.81      8.69     18.03      4.70     13.99 
d20          2.74      2.00      0.63      2.47      1.50 
fb (in air)        4.20      3.49      2.09      3.93      3.02
全長 (in air)     49.34     52.03     64.79     46.01     59.94
各群焦点距離
1群       2群       3群       4群       5群
34.88     -6.54      8.60     -9.34     15.01 
【０１２９】
数値実施例３
単位     ｍｍ
面データ
面番号                    ｒ         ｄ        ｎｄ      νｄ
1                  18.971      0.70     1.63493    23.90
2                  11.959      0.10
3                  11.881      2.85     1.53071    55.69
4（非球面）       -83.802      可変
5                 -93.315      0.29     1.81600    46.62
6                   5.084      1.45
7（非球面）        56.604      0.60     1.53071    55.69
8                   8.247      0.10
9                   9.033      1.67     1.63493    23.90
10（非球面）       -22.619      0.40
11                  -8.466      0.60     1.53071    55.69
12                 -28.984      可変
13（明るさ絞り）      ∞        0.20
14（非球面）         3.376      1.20     1.58313    59.38
15                 -16.715      0.10
16                   6.379      0.70     1.63493    23.90
17（非球面）         2.743      可変
18                 -21.669      1.25     1.53071    55.69
19（非球面）        -9.547      可変
20                    ∞        0.30     1.51633    64.14
21                    ∞        0.40
22                    ∞        0.50     1.51633    64.14
23                    ∞        0.53
像面（撮像面）        ∞
非球面データ
第4面
K=0.000,A4=1.41593e-05
第7面
K=0.000,A4=3.55290e-04,A6=-9.98484e-06,A8=1.33408e-06 
第10面
K=0.000,A4=-5.51128e-04 
第14面
K=0.000,A4=-2.23609e-03,A6=-2.73722e-04 
第17面
K=0.000,A4=2.11646e-03
第19面
K=0.000,A4=7.71253e-04,A6=-1.66511e-05
ズームデータ
W         S2        T         S1        S3
焦点距離       4.53     12.57     42.75      7.87     20.79
ＦＮＯ．       3.90      6.04      6.86      5.15      6.99
画角２ω      80.15     32.57      9.69     52.43     19.94
d4           0.30      5.52     17.50      1.09     10.27 
d12         10.79      4.24      0.10      6.13      2.71 
d17          3.89     11.80     14.80      8.65     15.31 
d19          4.60      3.50      3.00      3.90      2.64 
fb (in air)        6.10      5.00      4.36      5.40      4.10
全長 (in air)     33.29     38.77     48.98     33.48     44.61
各群焦点距離
1群       2群       3群       4群
32.04     -5.78      8.36     31.05 
【０１３０】
数値実施例４
単位     ｍｍ
面データ
面番号                    ｒ         ｄ        ｎｄ      νｄ
1                  18.433      0.70     1.63493    23.90
2                  12.212      0.10
3                  12.511      2.60     1.53071    55.69
4（非球面）       -85.562      可変
5               -2720.642      0.29     1.72916    54.68
6                   5.030      2.32
7（非球面）       -25.429      1.67     1.63493    23.90
8（非球面）        -7.702      0.40
9                  -7.025      0.60     1.53071    55.69
10（非球面）      -114.323      可変
11（明るさ絞り）      ∞        0.20
12（非球面）         3.390      1.21     1.58313    59.38
13                 -18.447      0.10
14                   5.929      0.70     1.63493    23.90
15（非球面）         2.685      可変
16                 -30.855      1.25     1.53071    55.69
17（非球面）        -9.547      可変
18                    ∞        0.30     1.51633    64.14
19                    ∞        0.40
20                    ∞        0.50     1.51633    64.14
21                    ∞        0.53
像面（撮像面）        ∞
非球面データ
第4面
K=0.000,A4=9.03643e-06
第7面
K=0.000,A4=-3.35623e-04 
第8面
K=0.000,A4=-1.99627e-04 
第10面
K=0.000,A4=-6.62016e-04 
第12面
K=0.000,A4=-2.20960e-03,A6=-2.48285e-04
第15面
K=0.000,A4=1.86945e-03
第17面
K=0.000,A4=8.25458e-04,A6=-1.54961e-05
ズームデータ
W         S2        T         S1        S3
焦点距離       4.65     12.37     34.61      7.90     20.49
ＦＮＯ．       3.72      5.83      6.89      4.90      6.87
画角２ω      75.36     32.92     11.88     51.53     20.08
d4           0.30      4.63     15.10      1.03      9.10 
d10         10.03      3.63      0.10      5.64      1.87 
d15          3.64     11.87     15.52      8.47     15.43 
d17          4.53      3.21      3.00      3.65      3.00 
fb (in air)        5.99      4.65      4.31      5.10      4.29
全長 (in air)     32.10     36.93     47.18     32.38     42.83
各群焦点距離
1群       2群       3群       4群
32.32     -6.16      8.39     25.53 
【０１３１】
数値実施例５
単位     ｍｍ
面データ
面番号                    ｒ         ｄ        ｎｄ      νｄ
1                  25.423      0.70     1.63493    23.90
2                  14.552      0.50
3                  19.178      2.52     1.53071    55.69
4（非球面）       -30.056      可変
5                 -27.812      0.29     1.81600    46.62
6                   5.063      0.35
7（非球面）         5.199      1.67     1.63493    23.90
8（非球面）        10.660      可変
9（明るさ絞り）      ∞        0.20
10（非球面）         3.230      1.64     1.74320    49.34
11                 -57.125      0.10
12                   7.462      0.70     1.63493    23.90
13（非球面）         2.243      可変
14                 101.025      1.25     1.53071    55.69
15（非球面）        -9.547      可変
16                    ∞        0.30     1.51633    64.14
17                    ∞        0.40
18                    ∞        0.50     1.51633    64.14
19                    ∞        0.53
像面（撮像面）        ∞
非球面データ
第4面
K=0.000,A4=2.98855e-06
第7面
K=0.000,A4=-6.98711e-04 
第8面
K=0.000,A4=-1.09440e-03 
第10面
K=0.000,A4=-2.27388e-03,A6=-2.85343e-04
第13面
K=0.000,A4=2.30922e-03
第15面
K=0.000,A4=1.67799e-04,A6=-2.56969e-06
ズームデータ
W         S2        T         S1        S3
焦点距離       4.70     12.38     34.83      7.95     20.76
ＦＮＯ．       3.26      5.39      6.40      4.53      5.79
画角２ω      75.74     33.25     11.94     52.27     19.49
d4           0.30      5.27     16.91      1.31     12.09 
d8          11.07      5.35      0.10      7.73      2.70 
d13          2.03     10.37     13.02      7.73     11.22 
d15          3.62      1.00      3.00      1.43      2.23 
fb (in air)        5.02      2.50      4.38      2.87      3.72
全長 (in air)     28.34     33.40     44.32     29.56     39.64
各群焦点距離
1群       2群       3群       4群
37.32     -7.82      7.89     16.50 
【０１３２】
数値実施例６
単位     ｍｍ
面データ
面番号                    ｒ         ｄ        ｎｄ      νｄ
1（非球面）        30.489      0.80     1.63493    23.90
2（非球面）        17.947      0.10
3（非球面）        15.965      4.56     1.53071    55.69
4（非球面）      -116.876      可変
5                 -53.423      0.40     2.00100    29.13
6                   7.775      2.12
7（非球面）       -17.437      0.45     1.74156    49.21
8（非球面）        13.577      0.24
9                  19.039      1.74     1.94595    17.98
10                 -24.709      可変
11（明るさ絞り）      ∞        0.66
12（非球面）         7.080      1.79     1.58313    59.46
13（非球面）       -33.319      1.85
14                  15.594      0.42     1.90366    31.32
15                   4.936      2.31     1.48749    70.23
16                 -23.856      可変
17                 -18.081      0.40     1.51633    64.14
18                  14.576      可変
19（非球面）       -48.755      2.63     1.49710    81.56
20（非球面）        -6.583      可変
21                    ∞        0.30     1.51633    64.14
22                    ∞        0.40
23                    ∞        0.50     1.51633    64.14
24                    ∞        0.53
像面（撮像面）        ∞
非球面データ
第1面
K=0.000,A4=-1.76886e-06,A6=-2.84659e-08,A8=-1.14276e-10 
第2面
K=0.000,A4=-9.05659e-06,A6=-1.64094e-08,A8=-3.70506e-10 
第3面
K=0.000,A4=-1.94692e-05,A6=-3.45109e-08,A8=-2.78300e-10 
第4面
K=0.000,A4=-1.45677e-07,A6=-2.57375e-08,A8=1.49341e-10
第7面
K=0.000,A4=2.46752e-06,A6=2.17986e-06,A8=-4.35955e-07,A10=1.24562e-08
第8面
K=0.000,A4=-4.08369e-04,A6=5.75193e-06,A8=-4.22156e-07,A10=1.05142e-08
第12面
K=0.000,A4=-2.72668e-04,A6=1.40980e-05,A8=-1.66601e-06,A10=9.51924e-08
第13面
K=0.000,A4=1.74113e-04,A6=1.29770e-05,A8=-1.38695e-06,A10=9.44365e-08
第19面
K=0.000,A4=-5.52657e-04 
第20面
K=0.000,A4=3.37676e-04,A6=8.27277e-07,A8=4.54351e-08,A10=3.08370e-09
ズームデータ
W         S2        T         S1        S3
焦点距離       4.55     22.91    103.64     10.41     45.55
ＦＮＯ．       2.83      4.61      7.22      3.56      5.42
画角２ω      81.54     17.76      4.28     38.86      9.16
d4           0.22     15.49     27.48      7.18     22.75 
d10         20.43      5.72      0.54      9.88      3.57 
d16          1.50      8.38      9.46      5.34      9.13 
d18          2.54      7.01     15.63      3.21     10.56 
d20          7.20      6.28      1.04      7.09      4.96 
fb (in air)        8.66      7.75      2.89      8.55      6.48
全長 (in air)     53.80     64.81     76.47     54.64     72.96
各群焦点距離
1群       2群       3群       4群       5群
43.47     -6.88     10.72    -15.57     15.00 
【０１３３】
数値実施例７
単位     ｍｍ
面データ
面番号                    ｒ         ｄ        ｎｄ      νｄ
1                  17.785      0.70     1.60687    27.03
2                  11.048      0.10
3                  11.392      2.86     1.53071    55.69
4                -147.050      可変
5                 -74.842      0.29     1.78800    47.37
6                   5.148      1.60
7（非球面）        43.030      0.60     1.53071    55.69
8                   6.135      0.10
9                   6.367      1.67     1.63493    23.90
10（非球面）        35.969      可変
11（明るさ絞り）      ∞        0.20
12（非球面）         3.262      1.38     1.58313    59.38
13                 -17.027      0.10
14                   6.328      0.70     1.63493    23.90
15（非球面）         2.607      可変
16                -139.578      1.25     1.53071    55.69
17（非球面）        -9.547      可変
18                    ∞        0.30     1.51633    64.14
19                    ∞        0.40
20                    ∞        0.50     1.51633    64.14
21                    ∞        0.53
像面（撮像面）        ∞
非球面データ
第7面
K=0.000,A4=-1.36646e-04,A6=-1.19412e-07,A8=9.10502e-07
第10面
K=0.000,A4=-6.64177e-04 
第12面
K=0.000,A4=-2.47291e-03,A6=-3.21799e-04 
第15面
K=0.000,A4=2.16273e-03
第17面
K=0.000,A4=6.25013e-04,A6=-1.35133e-05
ズームデータ
W         S2        T         S1        S3
焦点距離       4.50     12.44     34.69      7.91     20.73
ＦＮＯ．       3.46      5.59      6.43      4.79      6.55
画角２ω      80.10     33.48     12.02     52.86     20.38
d4           0.30      5.27     16.17      0.73     10.21 
d10         10.34      4.09      0.10      6.04      2.34 
d15          3.52     12.10     14.84      9.29     15.35 
d17          3.90      2.24      3.00      2.47      1.73 
fb (in air)        5.34      3.66      4.37      3.92      3.15
全長 (in air)     31.07     36.68     47.05     31.55     42.62
各群焦点距離
1群       2群       3群       4群
34.04     -6.48      8.33     19.25 
【０１３４】
数値実施例８
単位     ｍｍ
面データ
面番号                    ｒ         ｄ        ｎｄ      νｄ
1                  16.948      0.70     1.63493    23.90
2                  11.663      0.10
3                  12.324      2.60     1.53071    55.69
4                -138.564      可変
5                 178.657      0.29     1.78800    47.37
6                   5.474      1.83
7（非球面）        -8.986      0.60     1.53071    55.69
8                   5.430      0.10
9                   5.688      1.67     1.74000    32.00
10（非球面）       -84.774      可変
11（明るさ絞り）      ∞        0.20
12（非球面）         3.380      1.57     1.58313    59.38
13                 -19.167      0.10
14                   6.080      0.70     1.63493    23.90
15（非球面）         2.639      可変
16                 -72.343      1.25     1.53071    55.69
17（非球面）        -9.547      可変
18                    ∞        0.30     1.51633    64.14
19                    ∞        0.40
20                    ∞        0.50     1.51680    64.20
21                    ∞        0.53
像面（撮像面）        ∞
非球面データ
第7面
K=0.000,A4=3.05574e-04,A6=1.19830e-06,A8=5.55453e-08
第10面
K=0.000,A4=1.90557e-04
第12面
K=0.000,A4=-2.26619e-03,A6=-2.52093e-04 
第15面
K=0.000,A4=1.79548e-03
第17面
K=0.000,A4=4.19312e-04,A6=-8.28651e-06
ズームデータ
W         S2        T         S1        S3
焦点距離       4.54     12.45     34.61      7.98     20.54
ＦＮＯ．       3.59      5.80      6.73      4.95      6.73
画角２ω      80.06     33.88     12.21     52.99     20.78
d4           0.30      5.12     15.59      0.82      9.91 
d10         10.84      4.34      0.10      6.31      2.50 
d15          3.61     12.41     15.28      9.45     15.50 
d17          3.99      2.05      3.00      2.43      1.58 
fb (in air)        5.47      3.45      4.37      3.95      2.99
全長 (in air)     31.94     37.03     47.04     32.23     42.61
各群焦点距離
1群       2群       3群       4群
33.40     -6.56      8.57     20.58 
【０１３５】
数値実施例９
単位     ｍｍ
面データ
面番号                    ｒ         ｄ        ｎｄ      νｄ
1                  15.541      0.70     1.68893    31.07
2                  10.300      0.10
3                  10.485      2.92     1.51633    64.14
4                -169.159      可変
5                 -95.893      0.29     1.78800    47.37
6                   5.013      1.71
7（非球面）       100.387      0.60     1.53071    55.69
8                   5.919      0.10
9                   6.185      1.67     1.63493    23.90
10（非球面）        48.074      可変
11（明るさ絞り）      ∞        0.20
12（非球面）         3.330      1.34     1.58313    59.38
13                 -14.627      0.10
14                   6.917      0.70     1.63493    23.90
15（非球面）         2.732      可変
16                 -60.284      1.25     1.53071    55.69
17（非球面）        -9.547      可変
18                    ∞        0.30     1.51633    64.14
19                    ∞        0.40
20                    ∞        0.50     1.51680    64.20
21                    ∞        0.53
像面（撮像面）        ∞
非球面データ
第7面
K=0.000,A4=-1.31725e-04,A6=-4.10376e-06,A8=1.00540e-06
第10面
K=0.000,A4=-6.48304e-04
第12面
K=0.000,A4=-2.41763e-03,A6=-3.10146e-04
第15面
K=0.000,A4=2.33359e-03
第17面
K=0.000,A4=6.56290e-04,A6=-1.23770e-05
ズームデータ
W         S2        T         S1        S3
焦点距離       4.49     12.54     34.72      7.91     20.80
ＦＮＯ．       3.52      5.62      6.65      4.80      6.60
画角２ω      80.69     33.07     12.00     52.65     20.21
d4           0.30      5.21     15.46      0.70      9.89 
d10         10.40      3.86      0.10      5.78      2.16 
d15          3.63     11.92     15.33      8.98     15.32 
d17          3.97      2.60      3.00      2.92      2.05 
fb (in air)        5.42      4.02      4.42      4.35      3.47
全長 (in air)     31.44     36.70     46.99     31.49     42.52
各群焦点距離
1群       2群       3群       4群
33.38     -6.31      8.29     21.19 
【０１３６】
数値実施例１０
単位     ｍｍ
面データ
面番号                    ｒ         ｄ        ｎｄ      νｄ
1                  19.807      0.70     1.63493    23.90
2                  12.136      0.10
3                  11.271      3.09     1.53071    55.69
4（非球面）       -54.902      可変
5                 -55.233      0.31     1.88300    40.76
6                   4.839      1.79
7（非球面）       -66.497      0.60     1.53071    55.69
8                   5.281      0.10
9                   5.539      1.94     1.63493    23.90
10（非球面）   -481687.590      可変
11（明るさ絞り）      ∞        0.20
12（非球面）         3.622      2.12     1.49700    81.54
13（非球面）       -13.066      0.60
14                  16.552      0.96     1.63493    23.90
15（非球面）         4.700      可変
16                    ∞        1.70     1.53071    55.69
17（非球面）       -10.508      可変
18                    ∞        0.30     1.51633    64.14
19                    ∞        0.40
20                    ∞        0.50     1.51680    64.20
21                    ∞        0.53
像面（撮像面）        ∞
非球面データ
第4面
K=0.000,A4=3.90378e-05,A6=-1.82067e-08,A8=3.61899e-10
第7面
K=0.000,A4=4.29995e-04,A6=7.48907e-06,A8=-2.97045e-07,A10=6.27937e-08
第10面
K=0.000,A4=-2.67417e-04,A6=-1.50495e-05,A8=-2.18746e-07
第12面
K=0.000,A4=-1.16806e-03,A6=-1.40856e-04,A8=1.17499e-05,A10=-1.39266e-06
第13面
K=0.000,A4=8.68950e-04,A6=-6.64820e-05,A8=1.13168e-05
第15面
K=0.000,A4=3.48056e-03,A6=4.51107e-04,A8=-1.44510e-05,A10=1.00163e-05
第17面
K=0.000,A4=3.60700e-04,A6=-2.40880e-05,A8=7.46200e-07,A10=-1.02300e-08
ズームデータ
W         S2        T         S1        S3
焦点距離       4.35     12.80     41.75      7.23     22.64
ＦＮＯ．       3.35      5.47      6.58      4.52      6.73
画角２ω      77.92     29.97      9.39     53.13     17.32
d4           0.20      5.39     14.48      0.68      9.04 
d10         10.14      4.31      0.20      6.53      2.39 
d15          3.15     12.56     17.03      8.71     17.62 
d17          4.27      3.30      3.30      3.30      3.30 
fb (in air)       12.33     19.88     24.57     16.08     24.96
全長 (in air)     35.18     42.09     51.76     35.80     48.91
各群焦点距離
1群       2群       3群       4群
27.77     -5.39      8.68     19.80 
【０１３７】
各実施例の変倍比は条件式（１）の各実施例の値として後に示す。
広角端（W）、第２中間状態（S2）、望遠端（T）でのそれぞれの有効撮像領域での像高は、それぞれ各実施例の収差図に示される。
【０１３８】
各実施例の各ズームレンズの最も物体側のレンズをＬ１とし、物体側から第ｎ番目のレンズをＬｎとしたとき、ガラスレンズの場合をＧ、プラスチックレンズをＰとすると以下のようになる。
【０１３９】
実施例１  実施例２  実施例３  実施例４  実施例５  実施例６
L1         Ｐ        Ｐ        Ｐ        Ｐ        Ｐ        Ｐ
L2         Ｐ        Ｐ        Ｐ        Ｐ        Ｐ        Ｐ
L3         Ｇ        Ｇ        Ｇ        Ｇ        Ｇ        Ｇ
L4         Ｐ        Ｐ        Ｐ        Ｐ        Ｐ        Ｇ
L5         Ｐ        Ｐ        Ｐ        Ｐ        Ｇ        Ｇ
L6         Ｇ        Ｇ        Ｐ        Ｇ        Ｐ        Ｇ
L7         Ｐ        Ｇ        Ｇ        Ｐ        Ｐ        Ｇ
L8         Ｐ        Ｇ        Ｐ        Ｐ                  Ｇ
L9                   Ｐ        Ｐ                            Ｇ
L10                  Ｐ                                      Ｇ
【０１４０】
実施例７  実施例８  実施例９  実施例１０
L1         Ｐ        Ｐ        Ｇ         Ｐ
L2         Ｐ        Ｐ        Ｇ         Ｐ
L3         Ｇ        Ｇ        Ｇ         Ｇ
L4         Ｐ        Ｐ        Ｐ         Ｐ
L5         Ｐ        Ｐ        Ｐ         Ｐ
L6         Ｇ        Ｇ        Ｇ         Ｇ
L7         Ｐ        Ｐ        Ｐ         Ｐ
L8         Ｐ        Ｐ        Ｐ         Ｐ
【０１４１】
各実施例に記載される各レンズの材料の屈折率、アッベ数、材料名、メーカー名を以下に示す。
屈折率    アッベ数    材料名（商標）  メーカー名（商標）
1.63493      23.9      EP5000         三菱ガス化学
1.53071      55.69     ZEO-E48R       日本ゼオン
1.60687      27.03     OKP4           大阪ガスケミカル
1.74         32        MR-174         三井化学
1.788        47.37     S-LAH64        OHARA
1.83481      42.71     S-LAH55        OHARA
1.816        46.62     S-LAH59        OHARA
1.72916      54.68     S-LAL18        OHARA
2.001        29.13     TAFD55         HOYA
1.58313      59.38     S-BAL42        OHARA
1.7432       49.34     S-LAM60        OHARA
1.94595      17.98     FDS18          HOYA
1.90366      31.32     TAFD25         HOYA
1.48749      70.23     S-FSL5         OHARA
1.51633      64.14     S-BSL7         OHARA
1.4971       81.56     S-FPL51        OHARA
1.68893      31.07     S-TIM28        OHARA
【０１４２】
以上の実施例１〜９、１０の無限遠距離合焦時の収差図をそれぞれ図１０〜１８、２４に示す。これらの収差図において、（ａ）は広角端（W）、（ｂ）は第２中間状態（S2）、（ｃ）は望遠端（T）における球面収差ＳＡ、非点収差ＡＳ、歪曲収差ＤＴ、倍率色収差ＣＣを示す。なお、各収差図中、“ＩＨ”は有効撮像領域の像高（単位はｍｍ）を表す。
【０１４３】
次に、上記各実施例における条件式（１）〜（２０）の対応値を示す。なお、数値の桁数が多くなるものは少数点以下第４位を四捨五入している。省略した値は−−としている。
【０１４４】
実施例１  実施例２  実施例３  実施例４  実施例５  実施例６
条件式(1)           7.485    15.412     7.445     9.444     7.407    23.062
条件式(2)           1.635     1.635     1.635     1.635     1.635     1.635
条件式(3)          31.790    31.790    31.790    31.790    31.790    31.790
条件式(4)           1.531     1.531     1.531     1.531     1.531     1.742
条件式(5A),(5B)     1.635     1.635     1.635     1.635     1.635     1.946
条件式(6)          -0.153    -0.200    -0.094    -0.181    -0.181    -0.366
条件式(7)          -0.153    -0.200    -0.094    -0.181    -0.181    -0.055
条件式(8)           2.658     2.186     2.571     2.442     2.878     2.500
条件式(9)           1.009     0.595     0.962     0.675     1.180     0.477
条件式(10)         23.9      23.9      23.9      23.9      23.9      17.98
条件式(11)          4.402      --       4.022     4.141     5.396      --
条件式(12)         -3.075      --      -2.650    -2.826    -4.688      --
条件式(13)         -0.164      --      -0.151    -0.153    -0.277      --
条件式(14)          5.401      --       4.411     4.926     3.677      --
条件式(15)         -0.874      --      -0.631    -0.646    -0.084      --
条件式(16)         -0.908      --      -0.752    -0.745    -0.221      --
条件式(17)         -0.653      --      -0.664    -0.690    -0.893      --
条件式(18)          2.360      --       2.509     2.656     1.860      --
条件式(19)          1.230      --       1.230     1.260     1.440      --
条件式(20)          1.635      --       1.635     1.635     1.635      --
【０１４５】
実施例７  実施例８  実施例９  実施例１０
条件式(1)           7.702     7.615     7.727     9.608
条件式(2)           1.607     1.635     1.689     1.635
条件式(3)          28.660    31.790    33.070    31.790
条件式(4)           1.531     1.531     1.531     1.531
条件式(5A),(5B)     1.635     1.740     1.635     1.635
条件式(6)          -0.181    -0.153    -0.099    -0.248
条件式(7)          -0.153     0.048    -0.153    -0.248
条件式(8)           2.636     2.664     2.746     2.698
条件式(9)           0.965     1.000     1.038     1.243
条件式(10)         27.03     32.000    23.9       23.9
条件式(11)          4.163     4.242     4.020     3.007
条件式(12)         -3.183    -2.982    -3.067    -1.989
条件式(13)         -0.176    -0.183    -0.162    -0.184
条件式(14)          4.280     5.414     4.930     4.164
条件式(15)         -0.784    -0.782    -0.832    -0.470
条件式(16)         -0.856    -0.837    -0.883    -0.659
条件式(17)         -0.678    -0.700    -0.629    -0.566
条件式(18)          2.402     2.534     2.306     1.793
条件式(19)          1.25      1.28      1.21      0.77
条件式(20)          1.635     1.635     1.635     1.635
【０１４６】
各実施例にて、以下の構成としてもよい。
【０１４７】
上述の各実施例のズームレンズは矩形の光電変換面（撮像面）上に広角端付近では樽型の歪曲収差が発生した像が形成される。一方、第１、第２、第３中間状態や望遠端では歪曲収差の発生が抑えられる。広角端付近で発生する歪曲収差を画像処理で補正するために、有効撮像領域を、広角端では樽型形状とし、中間焦点距離状態や望遠端では矩形の形状となるようにしてもよい。その場合、あらかじめ設定した有効撮像領域を画像処理により画像変換し、歪みを低減させた矩形の画像情報に変換する。そのため、広角端での像高は、第１、第２、第３の中間状態や望遠端での像高よりも小さくなる。
また、このような構成とすれば、第１レンズ群、第２レンズ群の有効径を小さくでき、小径化に有利となる。
【０１４８】
また、ズームレンズにより撮影された画像の電気信号を、画像処理により倍率色収差による色のずれを補正した画像信号に変換する画像変換部を有することが好ましい。ズームレンズの倍率色収差を電気的に補正することで、より良好な画像を得ることができるようになる。
倍率色収差はズーム状態、フォーカス状態、絞り値によって変化するが、各レンズポジション（ズーム状態、フォーカス状態、絞り値）ごとに、第１原色からの第２原色及び第３原色のずれ量を補正データとして記憶保持装置に記憶させておくとよい。ズームポジションに応じて、この補正データを参照することで、第１原色信号に対する第２及び第３原色のずれを補正した第２及び第３原色信号を出力することができる。
【０１４９】
またゴースト、フレア等の不要光をカットするために、明るさ絞り以外にフレア絞りを任意に配置してもよい。
第１レンズ群の物体側、第１、２レンズ群間、第３、４レンズ群間、最も像面側のレンズ群から像面間のいずれの場所に配置しても良い。
枠部材によりフレア光線をカットするように構成しても良いし、別の部材を構成しても良い。また光学系に直接印刷しても塗装してもシールなどを接着してもかまわない。またその形状は円形、楕円形、矩形、多角形、関数曲線で囲まれる範囲等、いかなる形状でもかまわない。また不要光束をカットするだけでなく画面周辺のコマフレア等の光束をカットしても良い。
【０１５０】
また、各レンズの空気接触面や接合面に反射防止コートを行い、ゴースト、フレアを軽減してもかまわない。マルチコートであれば効果的にゴースト、フレアを軽減できるので望ましい。２層あるいはそれ以上の膜数のコート材や膜厚を適宜組み合わせることで、更なる反射率の低減や、反射率の分光特性・角度特性等のコントロールなどを行うことが可能となる。また赤外カットコートをレンズ面、カバーガラス等に行ってもかまわない。
【０１５１】
（デジタルカメラ）
図１９〜図２１は、以上のようなズームレンズを撮影光学系４１に組み込んだ本発明によるデジタルカメラの構成の概念図を示す。図１９はデジタルカメラ４０の外観を示す前方斜視図、図２０は同後方正面図、図２１はデジタルカメラ４０の構成を示す模式的な断面図である。ただし、図１９と図２０においては、撮影光学系４１の非沈胴時を示している。デジタルカメラ４０は、この例の場合、撮影用光路４２を有する撮影光学系４１、ファインダー用光路４４を有するファインダー光学系４３、シャッターボタン４５、フラッシュ４６、液晶表示モニター４７、焦点距離変更ボタン６１、設定変更スイッチ６２等を含み、撮影光学系４１の沈胴時には、カバー６０をスライドすることにより、撮影光学系４１とファインダー光学系４３とフラッシュ４６はそのカバー６０で覆われる。そして、カバー６０を開いてカメラ４０を撮影状態に設定すると、撮影光学系４１は図１９の非沈胴状態（望遠撮影状態）になり、カメラ４０の上部に配置されたシャッターボタン４５を押圧すると、それに連動して撮影光学系４１、例えば実施例１のズームレンズを通して撮影が行われる。撮影光学系４１によって形成された物体像が、波長域制限コートを施したローパスフィルターＦとカバーガラスＣを介してＣＣＤ４９の撮像面上に形成される。このＣＣＤ４９で受光された物体像は、処理手段５１を介し、電子画像としてカメラ背面に設けられた液晶表示モニター４７に表示される。また、この処理手段５１には記録手段５２が接続され、撮影された電子画像を記録することもできる。なお、この記録手段５２は処理手段５１と別体に設けてもよいし、フレキシブルディスクやメモリーカード、ＭＯ等により電子的に記録書込を行うように構成してもよい。また、ＣＣＤ４９に代わって銀塩フィルムを配置した銀塩カメラとして構成してもよい。
【０１５２】
さらに、ファインダー用光路４４上にはファインダー用対物光学系５３が配置してある。ファインダー用対物光学系５３は、複数のレンズ群（図の場合は３群）と２つの  プリズム（５５ａ、５５ｂ）からなり、撮影光学系４１のズームレンズに連動して焦点距離が変化するズーム光学系からなり、このファインダー用対物光学系５３によって形成された物体像は、像正立部材である正立プリズム５５の視野枠５７上に形成される。この正立プリズム５５の後方には、プリズム（５５ｃ）が配置され、さらに、正立正像にされた像を観察者眼球Ｅに導く接眼光学系５９が配置されている。なお、接眼光学系５９の射出側にカバー部材５０が配置されている。
【０１５３】
このように構成されたデジタルカメラ４０は、撮影光学系４１が本発明により、低コストに有利であり、高変倍比で結像性能も極めて安定的であるので、高性能化が実現できる。
【０１５４】
（内部回路構成）
図２２は、上記デジタルカメラ４０の主要部の内部回路の構成ブロック図である。なお、以下の説明では、上記の処理手段は、例えばＣＤＳ／ＡＤＣ部２４、一時記憶メモリ１７、画像処理部１８等からなり、記憶手段は、例えば記憶媒体部１９等からなる。
【０１５５】
図２２に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０１５６】
上記の一時記憶メモリ１７、画像処理部１８、記憶媒体部１９、表示部２０、及び設定情報記憶メモリ部２１は、バス２２を介して相互にデータの入力又は出力が可能なように構成され、また、撮像駆動回路１６には、ＣＣＤ４９とＣＤＳ／ＡＤＣ部２４が接続されている。
【０１５７】
操作部１２は各種の入力ボタンやスイッチを備え、これらの入力ボタンやスイッチを介して外部（カメラ使用者）から入力されるイベント情報を制御部に通知する回路である。
【０１５８】
制御部１３は、例えばＣＰＵ等からなる中央演算処理装置であり、不図示のプログラムメモリを内蔵し、そのプログラムメモリに格納されているプログラムにしたがって、操作部１１２を介してカメラ使用者から入力される指示命令を受けてデジタルカメラ４０全体を制御する回路である。
【０１５９】
ＣＣＤ４９は、本発明による撮影光学系４１を介して形成された物体像を受光する。ＣＣＤ４９は、撮像駆動回路１６により駆動制御され、その物体像の各画素ごとの光量を電気信号に変換してＣＤＳ／ＡＤＣ部２４に出力する撮像素子である。
【０１６０】
ＣＤＳ／ＡＤＣ部２４は、ＣＣＤ４９から入力する電気信号を増幅しかつアナログ／デジタル変換を行って、この増幅とデジタル変換を行っただけの映像生データ（ベイヤーデータ、以下ＲＡＷデータという。）を一時記憶メモリ１７に出力する回路である。
【０１６１】
一時記憶メモリ１７は、例えばＳＤＲＡＭ等からなるバッファであり、ＣＤＳ／ＡＤＣ部２４から出力される上記ＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３から指定された画質パラメータに基づいて各種画像処理（歪曲収差補正や倍率色収差補正を含めてもよい）を電気的に行う回路である。
【０１６２】
記録媒体部１９は、例えばフラッシュメモリ等からなるカード型又はスティック型の記録媒体を着脱自在に装着して、それらカード型又はスティック型のフラッシュメモリに、一時記憶メモリ１７から転送されるＲＡＷデータや画像処理部１８で画像処理された画像データを記録して保持する装置の制御回路である。
【０１６３】
表示部２０は、液晶表示モニターを備え、その液晶表示モニターに画像や操作メニュー等を表示する回路である。設定情報記憶メモリ部２１には、予め各種の画質パラメータが格納されているＲＯＭ部と、そのＲＯＭ部から読み出された画質パラメータの中から操作部１２の入力操作によって選択された画質パラメータを記憶するＲＡＭ部が備えられている。設定情報記憶メモリ部２１は、それらのメモリへの入出力を制御する回路である。
【０１６４】
このように構成されたデジタルカメラ４０は、撮影光学系４１が、本発明により、十分な広角域を有し、コンパクトな構成としながら、高変倍比を持ち、全変倍域で結像性能が極めて安定的であるので、明るく高性能・小型化・広画角化が実現できる。
【符号の説明】
【０１６５】
Ｇ１…第１レンズ群
Ｇ２…第２レンズ群
Ｇ３…第３レンズ群
Ｇ４…第４レンズ群
Ｇ５…第５レンズ群
Ｓ…明るさ絞り
Ｆ…ローパスフィルター
Ｃ…カバーガラス
Ｉ…像面
１２…操作部
１３…制御部
１４…バス
１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４３…ファインダー光学系
４４…ファインダー用光路
４５…シャッターボタン
４６…フラッシュ
４７…液晶表示モニター
４９…ＣＣＤ
５０…カバー部材
５１…処理手段
５２…記録手段
５３…ファインダー用対物光学系
５５…正立プリズム
５７…視野枠
５９…接眼光学系
６０…カバー
６１…焦点距離変更ボタン
６２…設定変更スイッチ
【図１】
2013200543.tif 000003
【図２】
2013200543.tif 000004
【図３】
2013200543.tif 000005
【図４】
2013200543.tif 000006
【図５】
2013200543.tif 000007
【図６】
2013200543.tif 000008
【図７】
2013200543.tif 000009
【図８】
2013200543.tif 000010
【図９】
2013200543.tif 000011
【図１０】
2013200543.tif 000012
【図１１】
2013200543.tif 000013
【図１２】
2013200543.tif 000014
【図１３】
2013200543.tif 000015
【図１４】
2013200543.tif 000016
【図１５】
2013200543.tif 000017
【図１６】
2013200543.tif 000018
【図１７】
2013200543.tif 000019
【図１８】
2013200543.tif 000020
【図１９】
2013200543.tif 000021
【図２０】
2013200543.tif 000022
【図２１】
2013200543.tif 000023
【図２２】
2013200543.tif 000024
【図２３】
2013200543.tif 000025
【図２４】
2013200543.tif 000026